(57)【要約】【課題】本発明は、省エネルギ動作を行うとともに、除湿ヒータ等の加熱源の動作を制御して、消費電力を削減しつつ結露等による各種弊害を無くす画像形成装置及び画像形成装置における加熱源制御方法。【解決手段】カラー複写機は、メインＳＷがオンの状態で、＋２４Ｖ電源が出力されて、定着リロード温度までは、リレーへの通電を遮断し、リレーの接点を接触状態として除湿ヒータへ電力供給を続ける。コピー動作が一定時間以上行われないと、ＣＰＵが、省エネモードに遷移させ、定着器の温度が徐々に低下するが、このとき、リレーへの電圧を供給する制御信号がイネーブル状態でも、＋２４Ｖ電源は省エネモードでは供給されないため、リレーに供給される＋２４Ｖ＿ＲＥＬＡＹがオフ状態となり、リレーの接点が接触して除湿ヒータへ電力の供給を行い、リロード温度以下に達すると、リレーへの電圧を供給する制御信号をディスエーブル状態にする。【選択図】　　　　　図１
2004102214.tif 000002
【特許請求の範囲】
【請求項１】
画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置であって、前記定着温度検出手段からの入力情報に基づき前記リレー回路への通電を制御することを特徴とする画像形成装置。
【請求項２】
前記定着温度検出手段からの情報に基づき前記リレー回路への通電を制御する制御手段に、アナログ情報をデジタル情報に変換するＡ／Ｄ変換器と、前記Ａ／Ｄ変換器の出力情報に基づき前記リレー回路への通電を制御する演算装置とを具備したことを特徴とする請求項１記載の画像形成装置。
【請求項３】
前記定着温度検出手段からの情報に基づき前記リレー回路への通電を制御する制御手段に、比較電圧を発生させる回路と、前記定着温度検手段を入力する比較手段にコンパレータを用い、少なくとも、比較電圧を発生させる電源電圧と、前記定着温度検手段の電源電圧と、前記コンパレータへ電源電圧に、省エネルギモードの時にも通電状態の電源電圧を用いて加熱源の制御を行うことを特徴とする請求項１記載の画像形成装置。
【請求項４】
請求項１及び請求項２記載の画像形成装置において、前記リレー回路への通電を制御する制御機構に、タイマ機能を有することを特徴とする画像形成装置。
【請求項５】
画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置おける加熱源制御方法であって、前記定着温度検出手段からの入力情報に基づき前記リレー回路への通電を制御する際に、アナログ情報をデジタル情報に変換するＡ／Ｄ変換工程と、前記Ａ／Ｄ工程での出力情報に基づき前記リレー回路への通電を制御する演算工程とを有することを特徴とする画像形成装置における加熱源制御方法。
【請求項６】
画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置おける加熱源制御方法であって、前記定着温度検出手段からの入力情報に基づき前記リレー回路への通電を制御する際に、比較電圧を発生させる回路と、前記定着温度検手段を入力する比較手段にコンパレータを用い、少なくとも、比較電圧を発生させる電源電圧と、前記定着温度検手段の電源電圧と、前記コンパレータへ電源電圧に、省エネルギモードの時にも通電状態の電源電圧を用いていることを特徴とする画像形成装置における加熱源制御方法。
【請求項７】
給紙部から搬送される用紙に画像データに基づいて画像を形成して出力する画像形成部と、当該画像形成部の所定部分を保温する複数の加熱源と、当該複数の加熱源への電源の供給／遮断を行うリレー回路と、前記複数の加熱源の接続状態を個別に検出する接続検出手段と、前記リレー回路を通して前記各加熱源に供給される電源の供給／遮断を行う通電制御手段と、当該通電制御手段の動作を制御する制御手段と、を備え、少なくとも印字可能な第１のモードとエネルギを節約する省エネルギを実現する第２のモードとを有する画像形成装置であって、前記リレー回路は、前記第１のモードのときにオフして前記加熱源側への通電を遮断し、前記第２のモードのときにオンして前記加熱源側への通電を行い、当該第２のモードにおいて、前記制御手段は、前記接続検出手段の検出結果に基づいて、前記通電制御手段の動作を制御して、前記リレー回路を通して前記各加熱源に供給される電源の供給／遮断を行うことを特徴とする画像形成装置。
【請求項８】
前記制御手段は、前記接続検出手段の検出結果に基づいて、前記加熱源毎に前記通電制御手段を選択的に動作させることを特徴とする請求項７記載の画像形成装置。
【請求項９】
前記制御手段は、前記通電制御手段の前記加熱源毎の動作のタイミングを適宜変更することを特徴とする請求項８記載の画像形成装置。
【請求項１０】
給紙部から搬送される用紙に画像データに基づいて画像を形成し、画像形成した用紙を定着部で所定の定着温度で加熱して定着させた後、出力する画像形成部と、当該画像形成部の所定部分を保温する複数の加熱源と、通電時にオフし、非通電時にオンして、当該複数の加熱源への電源の供給／遮断を行うリレー回路と、前記定着部の温度を検出する定着温度検出手段と、前記リレー回路の動作を制御して前記複数の加熱源への電源の供給／遮断を制御する通電制御手段と、前記定着温度検出手段の検出結果に基づいて当該通電制御手段の動作を制御する制御手段と、を備え、少なくとも印字可能及び印字可能な状態への遷移中の第１のモードとエネルギを節約する省エネルギを実現する第２のモードとを有する画像形成装置であって、前記制御手段は、前記第２のモードのときに前記通電制御手段を介して前記リレー回路をオンさせて前記加熱源に電源の供給を行い、前記第１のモードのときに、前記定着温度検出手段の検出結果に基づいて、前記通電制御手段を介して前記リレー回路のオン／オフを制御して、前記加熱源への電源の供給／遮断を制御することを特徴とする画像形成装置。
【請求項１１】
前記定着温度検出手段は、アナログの温度検出信号を前記制御手段に出力し、前記制御手段は、当該アナログの温度検出信号をデジタルの温度検出信号に変換するＡ／Ｄ変換手段と、当該デジタルの温度検出信号に基づいて、前記通電制御手段を介して前記リレー回路のオン／オフを制御する演算手段と、を備えていることを特徴とする請求項１０記載の画像形成装置。
【請求項１２】
前記制御手段は、前記定着温度検出手段の温度検出信号を所定の比較電圧と比較して前記通電制御手段の動作を制御する比較手段を備え、当該比較手段の動作電圧、当該比較電圧及び前記定着温度検出手段の動作電圧として、前記第２のモード時にも通電される電源電圧を利用することを特徴とする請求項１０記載の画像形成装置。
【請求項１３】
給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、前記リレー回路の動作を制御して前記加熱源への電源の供給／遮断を制御する通電制御手段と、各種情報を検出する情報検出手段と、を備え、少なくとも印字可能及び印字可能な状態への遷移中の第１のモードとエネルギを節約する省エネルギを実現する第２のモードとを有する画像形成装置であって、前記通電制御手段は、前記第２のモードのときに、前記リレー回路への通電を遮断して前記リレー回路をオンさせて前記加熱源に電源の供給を行い、前記第１のモードのときに、前記情報入力手段の検出情報に基づいて、前記リレー回路への通電と非通電を行って、当該リレー回路をオン／オフさせて前記加熱源への電源の供給／遮断を行うことを特徴とする画像形成装置。
【請求項１４】
前記画像形成装置は、前記情報検出手段の検出する情報に基づいて前記通電制御手段の動作を制御する制御手段を備え、当該制御手段が、前記第１のモードのときに、前記情報検出手段の検出情報に基づいて、前記通電制御手段のオン／オフ動作を制御して前記リレー回路への通電と非通電を行い、当該リレー回路をオン／オフさせて、前記加熱源への電源の供給／遮断を制御することを特徴とする請求項１３記載の画像形成装置。
【請求項１５】
前記画像形成装置は、前記加熱源の動作モードを設定入力する入力手段と、当該設定入力された動作モードを格納する記憶手段と、前記通電制御手段の動作を制御する制御手段と、を備え、当該制御手段が、前記第１のモードのときに、前記情報検出手段の検出する情報及び当該記憶手段の格納する動作モードに基づいて、前記通電制御手段のオン／オフ動作を制御して前記リレー回路への通電と非通電を行い、当該リレー回路をオン／オフさせて、前記加熱源への電源の供給／遮断を制御することを特徴とする請求項１３記載の画像形成装置。
【請求項１６】
給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、現在の時刻情報を提供するタイマ手段と、現在の月日等のカレンダ情報を提供するカレンダ手段と、予め設定された動作モードの移行月日等のカレンダデータと時刻データを格納する記憶手段と、前記リレー回路の動作を制御して前記加熱源への電源の供給／遮断を制御する通電制御手段と、少なくとも印字可能及び印字可能な状態への遷移中の第１のモードとエネルギを節約する省エネルギを実現する第２のモードとを制御する制御手段と、を備えた画像形成装置であって、前記制御手段は、前記第２のモードのときに前記通電制御手段に前記リレー回路への通電を遮断させ、前記リレー回路をオンさせて前記加熱源に電源の供給を行い、前記第１のモードのときに、前記通電制御手段をオン／オフ動作させて、前記リレー回路への通電と非通電を行い、当該リレー回路をオン／オフさせて前記加熱源への電源の供給／遮断を制御するとともに、前記タイマ手段と前記カレンダ手段の提供する現在時刻及びカレンダ情報と前記記憶手段のカレンダデータ及び時刻データを比較し、当該比較結果に基づいて、前記第２モードへの移行を制御することを特徴とする画像形成装置。
【請求項１７】
前記画像形成装置は、動作モードの移行カレンダデータと時刻データを設定入力する入力手段を、さらに備え、当該入力手段で入力された月日等のカレンダデータまたは／及び時刻データで前記記憶手段のカレンダデータ、時刻データを書き換えまたは追加して登録することを特徴とする請求項１６記載の画像形成装置。
【請求項１８】
給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、現在の時刻情報を提供するタイマ手段と、現在の月日等のカレンダ情報を提供するカレンダ手段と、予め設定された動作モードの移行月日等のカレンダデータ、時刻データを格納する記憶手段と、前記リレー回路の動作を制御して前記加熱源への電源の供給／遮断を制御する通電制御手段と、少なくとも印字可能及び印字可能な状態への遷移中の第１のモードとエネルギを節約する省エネルギを実現する第２のモードとを制御する制御手段と、を備えた画像形成装置であって、前記制御手段は、前記第２のモードのときに前記通電制御手段に前記リレー回路への通電を遮断させ、前記リレー回路をオンさせて前記加熱源に電源の供給を行い、前記第１のモードのときに、前記タイマ手段と前記カレンダ手段の提供する現在時刻及びカレンダ情報と前記記憶手段のカレンダデータ及び時刻データを比較して、当該比較結果に基づいて、前記通電制御手段をオン／オフ動作させて、前記リレー回路への通電と非通電を行い、当該リレー回路をオン／オフさせて前記加熱源への電源の供給／遮断を制御することを特徴とする画像形成装置。
【請求項１９】
前記画像形成装置は、動作モードの移行月日カレンダデータ、時刻データを設定入力する入力手段を、さらに備え、当該入力手段で入力された月日データまたは／及び時刻データで前記記憶手段の月日データ、時刻データを書き換えまたは追加して登録することを特徴とする請求項１８記載の画像形成装置。
【発明の詳細な説明】
【０００１】
【発明の属する技術分野】
本発明は、画像形成装置及び画像形成装置における加熱源制御方法に関し、詳細には、省エネルギ動作を行うとともに、除湿ヒータあるいは結露防止ヒ−タの動作を効率的に制御して、消費電力を削減しつつ結露等による各種の弊害を無くして利用性の良好な印刷プリンタ、カラープリンタ、複写機、カラー複写機や拡張機能により複合機能を有する機器等の画像形成装置及び画像形成装置における加熱源制御方法に関する。
【０００２】
【従来の技術】
【特許文献１】
特開平９−２６９７０６号公報
【特許文献２】
特開平１０−３１９７９６号公報
【特許文献３】
特開平８−２２５１６９号公報
【特許文献４】
特開平１１−２７２１４９号公報
【特許文献５】
特開２００２−０６８５０４号公報
【特許文献６】
特開２００２−１１６６６２号公報
従来、複写機等の画像形成装置では、各部の機械部品の温度と使用環境の温度とに温度差がある場合、特に、寒冷時における早朝などは、機械部品が結露を起こすことがある。すなわち、冬季においては、オフィス等に設置されている画像形成装置では、ユーザが在室する間は暖房が入れられて温度が高くなっているが、ユーザが在室しない夜間には、暖房が切られているため、急激に温度が低下し、この環境温度の大きな変化により、画像形成装置内のレンズ等の光学部品に結露が発生する。
【０００３】
そして、結露が、光学系のレンズやミラーに発生すると、画像が写らなくなり、また、帯電系や感光体ドラムに結露が発生すると、画像が写らなかったり、ぼけたり、薄くなったりする他に、紙詰まり（ジャム）などが起き、さらに、給紙系に結露が発生すると、紙詰まりが起きたり紙の搬送性や転写率に影響を及ぼすといった問題を生じる。
【０００４】
そこで、従来の画像形成装置においては、画像形成装置の電源オフ時の低温環境における筐体内の温度降下による結露防止対策として、ヒータ等の発熱体を設けて、当該発熱体で筐体内を加熱することで、筐体内温度の低下を防いで、結露を防止している。このヒータは、温度飽和後に適切な温度になるように、そのワット数（容量）が決定されているのが一般的である。
【０００５】
これらのヒータ、すなわち、除湿ヒータ、あるいは、結露防止ヒータの制御としては、例えば、本出願人が先に提案した特許文献１に記載の画像形成装置がある。この画像形成装置は、図３３に示すように、商用電源部１０００に接続された電源ライン１００１、１００２を分岐し、分岐後の一方の電源ライン１００１と電源ライン１００２との間に、ＤＣ電源部１００３と画像形成部の交流負荷１００４を並列に接続し、もう一方の電源ライン１００１、１００２の間に除湿あるいは結露防止用ヒータ等の加熱源１００５〜１００７を並列に接続し、電源ライン１００１、１００２の分岐部に、交流負荷１００４または加熱源１００５〜１００７への電力の供給を切り換える電源スイッチ１００８を設け、さらに、分岐後の一方の電源ライン１００１、１００２の電源スイッチ１００８と加熱源１００５〜１００７との間に、それぞれ、加熱源１００５〜１００７への電力の供給と遮断の切り換えを制御するタイマ１００９の接点１００９ａ、１００９ｂを挿入して、電源スイッチ１００８がオフ（図３３に示す状態）の間の必要なときに、加熱源１００５〜１００７へ電力を供給する。
【０００６】
また、本出願人は、先に、図３４に示す画像形成装置を提案している（特許文献２参照）。この画像形成装置は、トナーを定着させる熱定着装置１０２１の第１のヒータ１０２２の保護手段としての２接点を有するリレー回路１０２３を設け、定着用の第１のヒータ１０２２の一端をリレー回路１０２３の第１の接点ａに接続し、除湿または結露防止用に配設された第２のヒータ１０２４の一端をリレー回路１０２３の第２の接点ｂに接続し、電源スイッチ１０２５がオンになって画像形成装置が稼働状態になった場合には、ＤＣ電源１０２６からコントローラ部１０２７に通電され、リレー回路１０２３に通電されるため、第１の接点ａへの切り換えにより、第２のヒータ１０２４への電力供給を遮断させ、電源スイッチ１０２５がオフになった場合には、ＤＣ電源１０２６からコントローラ部１０２７に通電されず、リレー回路１０２３に通電されないため、第２の接点ｂへの切り換えにより、第２のヒータ１０２４へ電力供給させるように制御する。
【０００７】
さらに、除湿ヒータ、あるいは、結露防止ヒータへの通電を、定着器の温度に基づいて制御する方法が、従来提案されている（特許文献３、特許文献４等参照）。
【０００８】
また、省エネモードを考慮して、ソフト的に除湿ヒータを制御する例が、特許文献５、特許文献６等で提案されている。
【０００９】
【発明が解決しようとする課題】
しかしながら、近年、環境に対する配慮から省エネルギ化をより進める傾向が顕著になってきており、複写機等の画像形成装置においても、使用していないときには、定着器のヒータをオフすることはもちろんのこと、モータ、クラッチ、ソレノイド等の負荷を駆動する電源も未使用時にはオフすることは、必須条件となってきている。省電力を定めた規格、例えば、エナジースターでは、機器により異なるが、例えば、装置が動作していない状態（スリープ時）で消費電力４５Ｗ以下を要求しており、このような規格を取得していない画像形成装置は、市場で受け入れられない場合さえある。
【００１０】
ところが、上記特許文献１記載の画像読取装置のように、電源ライン１００１、１００２を分岐し、画像形成装置本体の電源をオフしているときに、除湿あるいは結露防止ヒ−タである加熱源１００５〜１００７を動作させると、画像形成装置本体の電源を通電したまま、使用しないときに定着器のヒータ制御を停止する、いわゆる省エネモードになった場合、除湿あるいは結露防止ヒ−タを動作させることができないこととなり、改良の必要があった。
【００１１】
また、特許文献２記載の画像読取装置のように、定着ヒータ１０２２のリレー回路１０２３の第２の接点ｂを用いて、除湿あるいは結露防止用のヒ−タ１０２４を動作させると、熱定着装置１０２１の温度制御を停止させない限り、除湿あるいは結露防止用のヒ−タ１０２４への通電が行われないため、画像形成装置本体が置かれている環境によっては、転写紙の含水分率の変化が生じ、画像品質に大きな影響を及ぼすおそれがあり、改良の必要があった。
【００１２】
また、特許文献３、特許文献４記載の方法にあっては、画像形成装置のメインスイッチを切った状態では、制御手段（ＣＰＵ）が制御することができず、除湿ヒータへの通電を制御することができないという問題があった。
【００１３】
そして、近年の複写機等の画像形成装置には、高速化、高画質化の要求が高まっており、転写紙の含水分率の変化は、搬送性能や画像品質に大きな影響を及ぼす。
【００１４】
一方、省エネモード時には、ＰＳＵ（電源ユニット）等からの発熱もあり、画像形成装置内の温度は、室温に比べて高くなっており、形成する画像の転写条件や、転写紙の搬送性を考慮した場合、除湿ヒータを常時点灯する必要がない。
【００１５】
また、定着器が冷えた状態から、動作可能状態に移行するときには、立ち上がり時間の短縮のために、電力のほとんどを定着器のヒータへ供給するのが一般的であり、ＤＣ電源等の消費する電力を除いた電力量をヒータの消費電力に割り当てるが、常時、除湿あるいは結露防止ヒ−タへの通電を行った場合、その電力量は、差し引かなければならない。
【００１６】
一方、近年、厚紙から薄紙まで他品種、および、多くの紙サイズの転写紙への対応が要求され、特に環境の影響を受けやすい薄紙の搬送性能の向上が大きな課題となっている。
【００１７】
さらに、上記特許文献５及び特許文献６記載の方法にあっては、ＣＰＵ等の処理装置が省エネ時にも動作していなければならず、ＤＣ電源を常に供給し続ける必要があり、省エネルギの効果を向上させる上で、改良の必要があった。
【００１８】
そこで、請求項１から請求項６では、上記のような問題点に鑑み、省エネモードあるいは、省エネルギ制御を有する画像形成装置においても、除湿あるいは結露防止ヒ−タの動作を行え、結露等による各種の弊害を無くし、除湿ヒータの動作を制御することにより、搬送性能を確保し、かつ消電力を実現できる画像形成装置及び画像形成装置における加熱源制御方法を提供することを目的とする。
【００１９】
また、必要な電力のみを消費できるようにし、全体として消費電力の軽減を図れることができる画像形成装置及び画像形成装置における加熱源制御方法を提供することを目的とする。
【００２０】
さらに、請求項７記載の発明は、給紙部から搬送される用紙に画像データに基づいて画像を形成して出力する画像形成部の所定部分を、少なくとも印字可能な第１のモードのときにオフして通電を遮断し、エネルギを節約する省エネルギを実現する第２のモードのときにオンして通電を行うリレー回路により電源の供給／遮断の行われる複数の加熱源で保温するとともに、当該複数の加熱源の接続状態を個別に接続検出手段で検出し、当該検出結果に基づいて、当該リレー回路を通して各加熱源に供給される電源の供給／遮断を行う通電制御手段の動作を制御手段で制御して、リレー回路を通して各加熱源に供給される電源の供給／遮断を行うことにより、複数の加熱源である除湿または結露防止用ヒータへの電力供給を行って、機内温度の温め過ぎを抑え、省エネモード時の電力消費量を削減するとともに、より良い除湿機能を実現して画像品質と用紙搬送品質を向上させることのできる画像形成装置を提供することを目的としている。
【００２１】
請求項８記載の発明は、制御手段が、接続検出手段の検出結果に基づいて、加熱源毎に通電制御手段を選択的に動作させることにより、複数の加熱源である除湿または結露防止用ヒータへの電力供給を選択的に行って、機内温度の温め過ぎをより適切に抑え、省エネモード時の電力消費量を削減するとともに、より一層良い除湿機能を実現して、画像品質と用紙搬送品質をより一層向上させることのできる画像形成装置を提供することを目的としている。
【００２２】
請求項９記載の発明は、制御手段が、通電制御手段の加熱源毎の動作のタイミングを適宜変更することにより、複数の加熱源である除湿または結露防止用ヒータへの電力供給を効果的に行って、機内温度の温め過ぎをより一層適切に抑え、省エネモード時の電力消費量をより一層削減するとともに、より一層良い除湿機能を実現して、画像品質と用紙搬送品質をより一層向上させることのできる画像形成装置を提供することを目的としている。
【００２３】
請求項１０記載の発明は、給紙部から搬送される用紙に画像データに基づいて画像を形成し、画像形成した用紙を定着部で所定の定着温度で加熱して定着させた後、出力する画像形成部の所定部分を、通電時にオフし、非通電時にオンするブレーク接点型のリレー回路により電源の供給／遮断の行われる複数の加熱源で保温するとともに、エネルギを節約する省エネルギを実現する第２のモードのときに、リレー回路の動作を制御して複数の加熱源への電源の供給／遮断を制御する通電制御手段を介してリレー回路をオンさせて加熱源に電源の供給を行い、印字可能及び印字可能な状態への遷移中の第１のモードのときに、定着部の温度を検出する定着温度検出手段の検出結果に基づいて、制御手段が、通電制御手段を介してリレー回路のオン／オフを制御して、加熱源への電源の供給／遮断を制御することにより、できるだけ長い時間、加熱源である除湿または結露防止用ヒータへの電力供給を行って、画像品質と用紙搬送品質を向上させるとともに、除湿または結露防止用ヒータへの電力供給タイミングを制御して、除湿または結露防止用ヒータの消費電力分を定着部のヒータの出力に利用できるようにして、定着部のヒータへの電力供給を大きくして、ファーストコピー時間を短縮させ、利用性の良好な画像形成装置を提供することを目的としている。
【００２４】
請求項１１記載の発明は、定着温度検出手段を、アナログの温度検出信号を制御手段に出力するものとし、制御手段が、当該アナログの温度検出信号をデジタルの温度検出信号に変換するＡ／Ｄ変換手段と、当該デジタルの温度検出信号に基づいて、通電制御手段を介してリレー回路のオン／オフを制御する演算手段と、を備えたものとすることにより、画像形成装置の既存の定着温度検出センサを利用して、加熱源である除湿または結露防止用ヒータへの電力供給を制御し、画像品質と陽子搬送品質を向上させるとともに、利用性の良好な画像形成装置を提供することを目的としている。
【００２５】
請求項１２記載の発明は、制御手段を、定着温度検出手段の温度検出信号を所定の比較電圧と比較して通電制御手段の動作を制御する比較手段を備えたものとするとともに、当該比較手段の動作電圧、当該比較電圧及び定着温度検出手段の動作電圧として、第２のモード時にも通電される電源電圧を利用することにより、ＣＰＵ等の電子部品への電力供給も停止できるようにし、省エネルギの効果をより一層向上させる画像形成装置を提供することを目的としている。
【００２６】
請求項１３記載の発明は、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、各種情報を検出する情報検出手段の検出情報に基づいて、リレー回路への通電と非通電を行って、当該リレー回路をオン／オフさせて加熱源への電源の供給／遮断を行うことにより、ハードウェアで、できるだけ長い時間、加熱源への電力供給を行えるように加熱源への電力供給タイミングを制御し、良好な画像品質と搬送品質を確保するとともに、ＣＰＵ等の電子部品への電力供給も停止して、省エネルギの効果をより一層向上させる画像形成装置を提供することを目的としている。
【００２７】
請求項１４記載の発明は、情報検出手段の検出する情報に基づいて通電制御手段の動作を制御する制御手段が、第１のモードのときに、情報検出手段の検出情報に基づいて、通電制御手段のオン／オフ動作を制御してリレー回路への通電と非通電を行い、当該リレー回路をオン／オフさせて、加熱源への電源の供給／遮断を制御することにより、できるだけ長い時間、加熱源への電力供給を行えるように加熱源への電力供給タイミングを制御し、良好な画像品質と搬送品質を確保するとともに、省エネルギの効果を向上させる画像形成装置を提供することを目的としている。
【００２８】
請求項１５記載の発明は、加熱源の動作モードを設定入力する入力手段で設定入力された動作モードを記憶手段に格納し、通電制御手段の動作を制御する制御手段が、第１のモードのときに、情報検出手段の検出する情報及び当該記憶手段の格納する動作モードに基づいて、通電制御手段のオン／オフ動作を制御してリレー回路への通電と非通電を行い、当該リレー回路をオン／オフさせて、加熱源への電源の供給／遮断を制御することにより、利用状況に応じて、できるだけ長い時間、加熱源への電力供給を行えるように加熱源への電力供給タイミングを制御し、良好な画像品質と搬送品質を確保するとともに、利用性を向上させつつ、省エネルギの効果を向上させる画像形成装置を提供することを目的としている。
【００２９】
請求項１６記載の発明は、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、第２モードへの移行を制御することにより、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電し、良好な画像品質と搬送品質を確保するとともに、省エネルギの効果を向上させる画像形成装置を提供することを目的としている。
【００３０】
請求項１７記載の発明は、動作モードの移行カレンダデータと時刻データを設定入力する入力手段で入力された月日等のカレンダデータまたは／及び時刻データで記憶手段のカレンダデータ、時刻データを書き換えまたは追加して登録することにより、湿度の高い季節、曜日、時間等を予め設定し、また、利用状況等に応じて設定入力して加熱源に通電し、より一層良好な画像品質と搬送品質を確保するとともに、利用性を向上させつつ、省エネルギの効果を向上させる画像形成装置を提供することを目的としている。
【００３１】
請求項１８記載の発明は、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、通電制御手段をオン／オフ動作させて、リレー回路への通電と非通電を行い、当該リレー回路をオン／オフさせて加熱源への電源の供給／遮断を制御することにより、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電するとともに、例えば、省エネルギモード以外での加熱源への通電を、機械動作中には行わない等、加熱源への電力供給タイミングを制御して、加熱源動作時に最大消費電力を越えることを防止し、良好な画像品質と搬送品質を確保するとともに、利用性を向上させつつ、省エネルギの効果を向上させる画像形成装置を提供することを目的としている。
【００３２】
請求項１９記載の発明は、動作モードの移行月日カレンダデータ、時刻データを設定入力する入力手段で入力された月日データまたは／及び時刻データで記憶手段の月日データ、時刻データを書き換えまたは追加して登録することにより、湿度の高い季節、曜日、時間等を予め設定し、また、利用状況等に応じて設定入力して加熱源に通電し、より一層良好な画像品質と搬送品質を確保するとともに、より一層利用性を向上させつつ、省エネルギの効果を向上させる画像形成装置を提供することを目的としている。
【００３３】
【課題を解決するための手段】
請求項１記載の発明の画像形成装置は、画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置であって、前記定着温度検出手段からの入力情報に基づき前記リレー回路への通電を制御することにより、上記目的を達成している。
【００３４】
請求項２記載の発明の画像形成装置は、前記定着温度検出手段からの情報に基づき前記リレー回路への通電を制御する制御手段に、アナログ情報をデジタル情報に変換するＡ／Ｄ変換器と、前記Ａ／Ｄ変換器の出力情報に基づき前記リレー回路への通電を制御する演算装置とを具備したことにより、上記目的を達成している。
【００３５】
請求項３記載の発明の画像形成装置は、前記定着温度検出手段からの情報に基づき前記リレー回路への通電を制御する制御手段に、比較電圧を発生させる回路と、前記定着温度検手段を入力する比較手段にコンパレータを用い、少なくとも、比較電圧を発生させる電源電圧と、前記定着温度検手段の電源電圧と、前記コンパレータへ電源電圧に、省エネルギモードの時にも通電状態の電源電圧を用いて加熱源の制御を行うことにより、上記目的を達成している。
【００３６】
請求項４記載の発明の画像形成装置は、請求項１及び請求項２記載の画像形成装置において、前記リレー回路への通電を制御する制御機構に、タイマ機能を有することにより、上記目的を達成している。
【００３７】
請求項５記載の発明の画像形成装置における加熱源制御方法は、画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置おける加熱源制御方法であって、前記定着温度検出手段からの入力情報に基づき前記リレー回路への通電を制御する際に、アナログ情報をデジタル情報に変換するＡ／Ｄ変換工程と、前記Ａ／Ｄ工程での出力情報に基づき前記リレー回路への通電を制御する演算工程とを有することにより、上記目的を達成している。
【００３８】
請求項６記載の発明の画像形成装置における加熱源制御方法は、画像を形成して出力する画像形成部と、前記画像形成部の所定部を保温する加熱源と、少なくとも、印字可能な第１のモードと省エネルギを実現する第２のモードとを有し、前記第１のモード時にリレー回路がオフし、前記第２のモードの時に前記リレー回路がオンする前記加熱源に電力の供給を行うリレー回路と、定着器の温度情報を検出する定着温度検出手段と、前記定着温度検出手段の情報に基づき前記リレー回路への通電を制御する制御手段とを有する画像形成装置おける加熱源制御方法であって、前記定着温度検出手段からの入力情報に基づき前記リレー回路への通電を制御する際に、比較電圧を発生させる回路と、前記定着温度検手段を入力する比較手段にコンパレータを用い、少なくとも、比較電圧を発生させる電源電圧と、前記定着温度検手段の電源電圧と、前記コンパレータへ電源電圧に、省エネルギモードの時にも通電状態の電源電圧を用いていることにより、上記目的を達成している。
【００３９】
そして、上記請求項１から請求項６記載の画像形成装置及び画像形成装置における加熱源制御方法は、除湿あるいは結露防止ヒ−タの動作を行え、結露等による各種の弊害を無くし、除湿ヒータの動作を制御しているので、搬送性能を確保し、かつ消電力を実現できる。
【００４０】
また、必要な電力のみを消費できるようにし、全体として消費電力の軽減を図ることができる。
【００４１】
請求項７記載の発明の画像形成装置は、給紙部から搬送される用紙に画像データに基づいて画像を形成して出力する画像形成部と、当該画像形成部の所定部分を保温する複数の加熱源と、当該複数の加熱源への電源の供給／遮断を行うリレー回路と、前記複数の加熱源の接続状態を個別に検出する接続検出手段と、前記リレー回路を通して前記各加熱源に供給される電源の供給／遮断を行う通電制御手段と、当該通電制御手段の動作を制御する制御手段と、を備え、少なくとも印字可能な第１のモードとエネルギを節約する省エネルギを実現する第２のモードとを有する画像形成装置であって、前記リレー回路は、前記第１のモードのときにオフして前記加熱源側への通電を遮断し、前記第２のモードのときにオンして前記加熱源側への通電を行い、当該第２のモードにおいて、前記制御手段は、前記接続検出手段の検出結果に基づいて、前記通電制御手段の動作を制御して、前記リレー回路を通して前記各加熱源に供給される電源の供給／遮断を行うことにより、上記目的を達成している。
【００４２】
上記構成によれば、給紙部から搬送される用紙に画像データに基づいて画像を形成して出力する画像形成部の所定部分を、少なくとも印字可能な第１のモードのときにオフして通電を遮断し、エネルギを節約する省エネルギを実現する第２のモードのときにオンして通電を行うリレー回路により電源の供給／遮断の行われる複数の加熱源で保温するとともに、当該複数の加熱源の接続状態を個別に接続検出手段で検出し、当該検出結果に基づいて、当該リレー回路を通して各加熱源に供給される電源の供給／遮断を行う通電制御手段の動作を制御手段で制御して、リレー回路を通して各加熱源に供給される電源の供給／遮断を行うので、複数の加熱源である除湿または結露防止用ヒータへの電力供給を行って、機内温度の温め過ぎを抑えることができ、省エネモード時の電力消費量を削減することができるとともに、より良い除湿機能を実現して画像品質と用紙搬送品質を向上させることができる。
【００４３】
この場合、例えば、請求項８に記載するように、前記制御手段は、前記接続検出手段の検出結果に基づいて、前記加熱源毎に前記通電制御手段を選択的に動作させるものであってもよい。
【００４４】
上記構成によれば、制御手段が、接続検出手段の検出結果に基づいて、加熱源毎に通電制御手段を選択的に動作させるので、複数の加熱源である除湿または結露防止用ヒータへの電力供給を選択的に行って、機内温度の温め過ぎをより適切に抑えることができ、省エネモード時の電力消費量を削減することができるとともに、より一層良い除湿機能を実現して、画像品質と用紙搬送品質をより一層向上させることができる。
【００４５】
また、例えば、請求項９に記載するように、前記制御手段は、前記通電制御手段の前記加熱源毎の動作のタイミングを適宜変更するものであってもよい。
【００４６】
上記構成によれば、制御手段が、通電制御手段の加熱源毎の動作のタイミングを適宜変更するので、複数の加熱源である除湿または結露防止用ヒータへの電力供給を効果的に行って、機内温度の温め過ぎをより一層適切に抑えることができ、省エネモード時の電力消費量をより一層削減することができるとともに、より一層良い除湿機能を実現して、画像品質と用紙搬送品質をより一層向上させることができる。
【００４７】
請求項１０記載の発明の画像形成装置は、給紙部から搬送される用紙に画像データに基づいて画像を形成し、画像形成した用紙を定着部で所定の定着温度で加熱して定着させた後、出力する画像形成部と、当該画像形成部の所定部分を保温する複数の加熱源と、通電時にオフし、非通電時にオンして、当該複数の加熱源への電源の供給／遮断を行うリレー回路と、前記定着部の温度を検出する定着温度検出手段と、前記リレー回路の動作を制御して前記複数の加熱源への電源の供給／遮断を制御する通電制御手段と、前記定着温度検出手段の検出結果に基づいて当該通電制御手段の動作を制御する制御手段と、を備え、少なくとも印字可能及び印字可能な状態への遷移中の第１のモードとエネルギを節約する省エネルギを実現する第２のモードとを有する画像形成装置であって、前記制御手段は、前記第２のモードのときに前記通電制御手段を介して前記リレー回路をオンさせて前記加熱源に電源の供給を行い、前記第１のモードのときに、前記定着温度検出手段の検出結果に基づいて、前記通電制御手段を介して前記リレー回路のオン／オフを制御して、前記加熱源への電源の供給／遮断を制御することにより、上記目的を達成している。
【００４８】
上記構成によれば、給紙部から搬送される用紙に画像データに基づいて画像を形成し、画像形成した用紙を定着部で所定の定着温度で加熱して定着させた後、出力する画像形成部の所定部分を、通電時にオフし、非通電時にオンするブレーク接点型のリレー回路により電源の供給／遮断の行われる複数の加熱源で保温するとともに、エネルギを節約する省エネルギを実現する第２のモードのときに、リレー回路の動作を制御して複数の加熱源への電源の供給／遮断を制御する通電制御手段を介してリレー回路をオンさせて加熱源に電源の供給を行い、印字可能及び印字可能な状態への遷移中の第１のモードのときに、定着部の温度を検出する定着温度検出手段の検出結果に基づいて、制御手段が、通電制御手段を介してリレー回路のオン／オフを制御して、加熱源への電源の供給／遮断を制御するので、できるだけ長い時間、加熱源である除湿または結露防止用ヒータへの電力供給を行って、画像品質と用紙搬送品質を向上させることができるとともに、除湿または結露防止用ヒータへの電力供給タイミングを制御して、除湿または結露防止用ヒータの消費電力分を定着部のヒータの出力に利用できるようにして、定着部のヒータへの電力供給を大きくして、ファーストコピー時間を短縮させることができ、利用性を向上させることができる。
【００４９】
この場合、例えば、請求項１１に記載するように、前記定着温度検出手段は、アナログの温度検出信号を前記制御手段に出力し、前記制御手段は、当該アナログの温度検出信号をデジタルの温度検出信号に変換するＡ／Ｄ変換手段と、当該デジタルの温度検出信号に基づいて、前記通電制御手段を介して前記リレー回路のオン／オフを制御する演算手段と、を備えているものであってもよい。
【００５０】
上記構成によれば、定着温度検出手段を、アナログの温度検出信号を制御手段に出力するものとし、制御手段が、当該アナログの温度検出信号をデジタルの温度検出信号に変換するＡ／Ｄ変換手段と、当該デジタルの温度検出信号に基づいて、通電制御手段を介してリレー回路のオン／オフを制御する演算手段と、を備えたものとしているので、画像形成装置の既存の定着温度検出センサを利用して、加熱源である除湿または結露防止用ヒータへの電力供給を制御することができ、画像品質と陽子搬送品質を向上させることができるとともに、利用性を向上させることができる。
【００５１】
また、例えば、請求項１２に記載するように、前記制御手段は、前記定着温度検出手段の温度検出信号を所定の比較電圧と比較して前記通電制御手段の動作を制御する比較手段を備え、当該比較手段の動作電圧、当該比較電圧及び前記定着温度検出手段の動作電圧として、前記第２のモード時にも通電される電源電圧を利用するものであってもよい。
【００５２】
上記構成によれば、制御手段を、定着温度検出手段の温度検出信号を所定の比較電圧と比較して通電制御手段の動作を制御する比較手段を備えたものとするとともに、当該比較手段の動作電圧、当該比較電圧及び定着温度検出手段の動作電圧として、第２のモード時にも通電される電源電圧を利用するので、ＣＰＵ等の電子部品への電力供給も停止することができ、省エネルギの効果をより一層向上させることができる。
【００５３】
請求項１３記載の発明の画像形成装置は、給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、前記リレー回路の動作を制御して前記加熱源への電源の供給／遮断を制御する通電制御手段と、各種情報を検出する情報検出手段と、を備え、少なくとも印字可能及び印字可能な状態への遷移中の第１のモードとエネルギを節約する省エネルギを実現する第２のモードとを有する画像形成装置であって、前記通電制御手段は、前記第２のモードのときに、前記リレー回路への通電を遮断して前記リレー回路をオンさせて前記加熱源に電源の供給を行い、前記第１のモードのときに、前記情報入力手段の検出情報に基づいて、前記リレー回路への通電と非通電を行って、当該リレー回路をオン／オフさせて前記加熱源への電源の供給／遮断を行うことにより、上記目的を達成している。
【００５４】
上記構成によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、各種情報を検出する情報検出手段の検出情報に基づいて、リレー回路への通電と非通電を行って、当該リレー回路をオン／オフさせて加熱源への電源の供給／遮断を行っているので、ハードウェアで、できるだけ長い時間、加熱源への電力供給を行えるように加熱源への電力供給タイミングを制御することができ、良好な画像品質と搬送品質を確保することができるとともに、ＣＰＵ等の電子部品への電力供給も停止して、省エネルギの効果をより一層向上させることができる。
【００５５】
請求項１３の場合、例えば、請求項１４に記載するように、前記画像形成装置は、前記情報検出手段の検出する情報に基づいて前記通電制御手段の動作を制御する制御手段を備え、当該制御手段が、前記第１のモードのときに、前記情報検出手段の検出情報に基づいて、前記通電制御手段のオン／オフ動作を制御して前記リレー回路への通電と非通電を行い、当該リレー回路をオン／オフさせて、前記加熱源への電源の供給／遮断を制御するものであってもよい。
【００５６】
上記構成によれば、情報検出手段の検出する情報に基づいて通電制御手段の動作を制御する制御手段が、第１のモードのときに、情報検出手段の検出情報に基づいて、通電制御手段のオン／オフ動作を制御してリレー回路への通電と非通電を行い、当該リレー回路をオン／オフさせて、加熱源への電源の供給／遮断を制御するので、できるだけ長い時間、加熱源への電力供給を行えるように加熱源への電力供給タイミングを制御することができ、良好な画像品質と搬送品質を確保することができるとともに、省エネルギの効果を向上させることができる。
【００５７】
また、請求項１３の場合、例えば、請求項１５に記載するように、前記画像形成装置は、前記加熱源の動作モードを設定入力する入力手段と、当該設定入力された動作モードを格納する記憶手段と、前記通電制御手段の動作を制御する制御手段と、を備え、当該制御手段が、前記第１のモードのときに、前記情報検出手段の検出する情報及び当該記憶手段の格納する動作モードに基づいて、前記通電制御手段のオン／オフ動作を制御して前記リレー回路への通電と非通電を行い、当該リレー回路をオン／オフさせて、前記加熱源への電源の供給／遮断を制御するものであってもよい。
【００５８】
上記構成によれば、加熱源の動作モードを設定入力する入力手段で設定入力された動作モードを記憶手段に格納し、通電制御手段の動作を制御する制御手段が、第１のモードのときに、情報検出手段の検出する情報及び当該記憶手段の格納する動作モードに基づいて、通電制御手段のオン／オフ動作を制御してリレー回路への通電と非通電を行い、当該リレー回路をオン／オフさせて、加熱源への電源の供給／遮断を制御するので、利用状況に応じて、できるだけ長い時間、加熱源への電力供給を行えるように加熱源への電力供給タイミングを制御することができ、良好な画像品質と搬送品質を確保することができるとともに、利用性を向上させつつ、省エネルギの効果を向上させることができる。
【００５９】
請求項１６記載の発明の画像形成装置は、給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、現在の時刻情報を提供するタイマ手段と、現在の月日等のカレンダ情報を提供するカレンダ手段と、予め設定された動作モードの移行月日等のカレンダデータと時刻データを格納する記憶手段と、前記リレー回路の動作を制御して前記加熱源への電源の供給／遮断を制御する通電制御手段と、少なくとも印字可能及び印字可能な状態への遷移中の第１のモードとエネルギを節約する省エネルギを実現する第２のモードとを制御する制御手段と、を備えた画像形成装置であって、前記制御手段は、前記第２のモードのときに前記通電制御手段に前記リレー回路への通電を遮断させ、前記リレー回路をオンさせて前記加熱源に電源の供給を行い、前記第１のモードのときに、前記通電制御手段をオン／オフ動作させて、前記リレー回路への通電と非通電を行い、当該リレー回路をオン／オフさせて前記加熱源への電源の供給／遮断を制御するとともに、前記タイマ手段と前記カレンダ手段の提供する現在時刻及びカレンダ情報と前記記憶手段のカレンダデータ及び時刻データを比較し、当該比較結果に基づいて、前記第２モードへの移行を制御することにより、上記目的を達成している。
【００６０】
上記構成によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、第２モードへの移行を制御するので、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電することができ、良好な画像品質と搬送品質を確保することができるとともに、省エネルギの効果を向上させることができる。
【００６１】
請求項１６の場合、例えば、請求項１７に記載するように、前記画像形成装置は、動作モードの移行カレンダデータと時刻データを設定入力する入力手段を、さらに備え、当該入力手段で入力された月日等のカレンダデータまたは／及び時刻データで前記記憶手段のカレンダデータ、時刻データを書き換えまたは追加して登録するものであってもよい。
【００６２】
上記構成によれば、動作モードの移行カレンダデータと時刻データを設定入力する入力手段で入力された月日等のカレンダデータまたは／及び時刻データで記憶手段のカレンダデータ、時刻データを書き換えまたは追加して登録するので、湿度の高い季節、曜日、時間等を予め設定することができ、また、利用状況等に応じて設定入力して加熱源に通電することができ、より一層良好な画像品質と搬送品質を確保することができるとともに、利用性を向上させつつ、省エネルギの効果を向上させることができる。
【００６３】
請求項１８記載の発明の画像形成装置は、給紙部から搬送される用紙に画像データに基づいて画像を形成して出力する画像形成部と、当該画像形成部の所定部分を保温する加熱源と、通電時にオフし、非通電時にオンして、当該加熱源への電源の供給／遮断を行うリレー回路と、現在の時刻情報を提供するタイマ手段と、現在の月日等のカレンダ情報を提供するカレンダ手段と、予め設定された動作モードの移行月日等のカレンダデータ、時刻データを格納する記憶手段と、前記リレー回路の動作を制御して前記加熱源への電源の供給／遮断を制御する通電制御手段と、少なくとも印字可能及び印字可能な状態への遷移中の第１のモードとエネルギを節約する省エネルギを実現する第２のモードとを制御する制御手段と、を備えた画像形成装置であって、前記制御手段は、前記第２のモードのときに前記通電制御手段に前記リレー回路への通電を遮断させ、前記リレー回路をオンさせて前記加熱源に電源の供給を行い、前記第１のモードのときに、前記タイマ手段と前記カレンダ手段の提供する現在時刻及びカレンダ情報と前記記憶手段のカレンダデータ及び時刻データを比較して、当該比較結果に基づいて、前記通電制御手段をオン／オフ動作させて、前記リレー回路への通電と非通電を行い、当該リレー回路をオン／オフさせて前記加熱源への電源の供給／遮断を制御することにより、上記目的を達成している。
【００６４】
上記構成によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、通電制御手段をオン／オフ動作させて、リレー回路への通電と非通電を行い、当該リレー回路をオン／オフさせて加熱源への電源の供給／遮断を制御するので、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電することができるとともに、例えば、省エネルギモード以外での加熱源への通電を、機械動作中には行わない等、加熱源への電力供給タイミングを制御して、加熱源動作時に最大消費電力を越えることを防止することができ、良好な画像品質と搬送品質を確保することができるとともに、利用性を向上させつつ、省エネルギの効果を向上させることができる。
【００６５】
請求項１８の場合、例えば、請求項１９に記載するように、前記画像形成装置は、動作モードの移行月日カレンダデータ、時刻データを設定入力する入力手段を、さらに備え、当該入力手段で入力された月日データまたは／及び時刻データで前記記憶手段の月日データ、時刻データを書き換えまたは追加して登録するものであってもよい。
【００６６】
上記構成によれば、動作モードの移行月日カレンダデータ、時刻データを設定入力する入力手段で入力された月日データまたは／及び時刻データで記憶手段の月日データ、時刻データを書き換えまたは追加して登録するので、湿度の高い季節、曜日、時間等を予め設定することができ、また、利用状況等に応じて設定入力して加熱源に通電することができ、より一層良好な画像品質と搬送品質を確保することができるとともに、より一層利用性を向上させつつ、省エネルギの効果を向上させることができる。
【００６７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００６８】
図１〜図６は、本発明の画像形成装置及び画像形成装置における加熱源制御方法の第１の実施の形態を適用した図であり、図５は、本発明の画像形成装置及び画像形成装置における加熱源制御方法の第１の実施の形態を適用したカラー複写機の概略外観図であり、図６は、カラー複写機のエンジンを簡単にまとめた概略構成を示す図である。なお、本発明は、電子写真プロセスを用いた、プリンタ、複写機、さらには、ＦＡＸ等の拡張機能を有する複合機等で実施可能であるが、以下に、実施形態がカラー複写機である場合の例について説明する。
【００６９】
図５に示すように、本発明の実施形態としてのカラー複写機は、複写機本体（Ｉ）と、自動原稿送り装置〔ＡＤＦ〕（ＩＩ）と、ステープルおよびシフトトレイ付きのフィニッシャ（ＩＩＩ　）と、両面印刷ユニット（ＩＶ）と、拡張給紙トレイ（Ｖ）と、１ビン排紙トレイ（ＶＩ）と、手差しユニット（ＶＩＩ）と、を具備して構成される。
【００７０】
複写機本体（Ｉ）の構成を図６を用いて、カラー複写機の場合で説明する。本実施形態は、以下にカラー複写機の例で説明するが、モノクロの複写機でも実現できる。
【００７１】
カラー複写機のエンジンは、原稿を読みとるスキャナ部と、トナー像を形成するための電子写真プロセス部と、およびトナー像を定着するための定着部、転写紙を収納し搬送する給紙部、感光体上に画像データの潜像を形成するための書き込みユニットを備えている。
【００７２】
原稿を読みとるスキャナ部には、原稿を照明するランプ１４が配置され、ランプ１４による原稿の反射光が、ミラー１５、レンズ１６等を介してＣＣＤ１７に結像され、画像データが電気信号に変換される。
【００７３】
電子写真プロセス部は、トナー像の形成、およびそのトナー像の用紙への転写を行う部分であり、感光体１の周囲にそのためのプロセス装置を備えている。すなわち、感光体１の周囲には、帯電器２と、マゼンタ現像器３Ｍとシアン現像器３Ｃとイエロー現像器３Ｙとブラック現像器３Ｋとからなるカラー現像器群３と、感光体クリーニング装置４と、除電ランプ５とがこの順に配置されている。また、カラー現像器群３と感光体クリーニング装置４との間には、ベルト状の中間転写体６が対向配置されており、この中間転写体６の内部には、一時転写器７が配置されている。中間転写体６の周囲には、二次転写器８、中間転写クリーニング装置９が配置されている。
【００７４】
この電子写真プロセス部では、画像データをレーザビーム等により一様に帯電した感光体１上走査し、感光体１上にマゼンタ現像器３Ｍ、シアン現像器３Ｃ、イエロー現像器３Ｙ、ブラック現像器３Ｋのいずれかによってトナー像を形成し、このトナー像を中間転写体６へ転写する。マゼンタ現像器３Ｍ、シアン現像器３Ｃ、イエロー現像器３Ｙ、ブラック現像器３Ｋには、それぞれ異なる色のトナー（マゼンタ、シアン、イエロー、ブラック）が収容されている。単色の画像を形成する場合には、中間転写体６へ転写されたトナー像はそのまま用紙へと転写されるが、フルカラー画像を形成する場合には、マゼンタ、シアン、イエロー、ブラックの４種類のトナーで各々個別に形成されたトナー像が中間転写体６上で重ね合わされてから用紙へと転写される。感光体１および中間転写体６は、１次転写または２次転写が行われたあと、それぞれのクリーニング装置４、９により清掃される。
【００７５】
給紙部１１は、トナー像を転写する転写紙を格納し、転写紙を２次転写部へを搬送する。紙の先端と画像の先端を合わせるために、図示しないレジストローラによりタイミングを合わせて搬送される。
【００７６】
定着部１０は、用紙上に転写されたトナー像を定着するための装置であり、中間転写体６、二次転写器８との間のトナー像二次転写部においてトナー像を転写された用紙が搬送されこの定着部１０へ送り込まれる。
【００７７】
書込ユニット１２は、画像データ処理部で処理された画像データを担持して出力する２個の半導体レーザ、レーザ光を等角速度偏向するポリゴンミラーを装備するポリゴンスキャナ、および等角速度偏向されたレーザ光が電子写真プロセス部の感光体ドラム上で等速度偏向されるように補正するｆθ特性を有した光学素子、１ライン毎のそれぞれの同期信号を発生させる同期検知部から形成されている。複数のＬＤは、１パッケージに複数出力をするＬＤアレイでも良い。また、１個のレーザを用いた書込ユニットであっても良い。
【００７８】
次に、本発明の実施形態としてのカラー複写機におけるフルカラープリントの際のエンジン制御部の動作について、以下に簡単に説明する。ここでは、マゼンタ、シアン、イエロー、ブラックの順番でトナー像が画像形成される場合について説明する。
【００７９】
コントローラから画像形成の開始が指示されると、ポリゴンスキャナーの回転を開始し、メインモータを駆動させ、感光体や定着ローラが回転を始める。あらかじめ、帯電器によって一様に帯電された感光体に、制御部内で展開されたビットマップデータをレーザ光として書き込むことにより、潜像を形成し、その潜像をトナーにより顕像化することにより、カラー画像を出力する。
【００８０】
初めに、マゼンタ成分のデータをレーザ光として出力する。このレーザ光により感光体上に静電潜像を形成し、その静電潜像にマゼンタのトナーを付着させる。そしてこのマゼンタのトナー像を中間転写体に転写する。続いて、シアン成分のデータをレーザ光として出力する。このレーザ光により感光体上に静電潜像を形成し、その静電潜像にシアンのトナーを付着させる。そしてこのシアンのトナー像を中間転写体上のマゼンタのトナー像に重ね合わせるように転写する。続いて、イエロー成分のデータをレーザ光として出力する。このレーザ光により感光体上に静電潜像を形成し、その静電潜像にイエローのトナーを付着させる。そしてこのイエローのトナー像を中間転写体上のマゼンタ、シアンのトナー像に重ね合わせるように転写する。
【００８１】
さらに、ブラック成分のデータをレーザ光として出力することによって感光体上に静電潜像を形成させる。この静電潜像にはブラックのトナーを付着させ、このブラックのトナー像を中間転写体上のマゼンタ、シアン、イエローのトナー像に重ね合わせる。これによって中間転写体上にはマゼンタ、シアン、イエロー、ブラックの４色のトナー像が重ね合わされる。そしてこの４色のトナー像が一度に用紙に転写され、定着部へ搬送されて定着処理される。
【００８２】
次に、両面印刷時の場合の動作について説明する。
【００８３】
両面印刷時には、片面印刷された転写紙が定着器を通過した後、図示しない搬送系路切換手段により、両面印刷ユニットに搬送され、転写紙を反転し再度レジストローラ部へと搬送する。画像先端に合わせて、タイミング良くレジストローラを駆動し、片面印刷された裏側に画像を転写し、定着部により画像を定着し排紙部へと搬送する。
【００８４】
図５および図６に示す本発明の実施形態としてのカラー複写機では、複写機本体（Ｉ）内に、各構成部品等の結露を防止するためのヒータ（加熱源）を配置している。このヒータは、スキャナ部内部の光学結露ヒータ、帯電・ドラムヒータ、および除湿ヒータが所定位置に配置されている。光学結露ヒータは、ミラー１５やレンズ１６に生ずる結露による画像不良を防止する。帯電・ドラムヒータは、帯電器を構成する帯電ローラ・ドラムの保温と結露防止により、画像不良、用紙の巻き付きによるジャムの防止を図る。除湿ヒータは、給紙部１１の給紙カセットや、拡張給紙トレイ（Ｖ）にセットされている用紙（記録紙）が湿って紙詰まりを起こすのを防止したり紙の搬送性や転写率の低下を防止する。
【００８５】
上述したヒータに電力を供給する電力供給回路について、本出願人によりすでに提案されたものを、図７を参照して説明する。この回路は、図７に示すように、交流電源に接続され、ホットラインには、フューズを接続し、電源スイッチとリレー回路へ接続され、ニュートラルラインは、電源スイッチとリレー回路へ接続される。
【００８６】
電源スイッチは、図７に示すように、２つの切り換えスイッチからなり、この両切り換えスイッチは、使用者の操作により、連動して切り換えができるように構成されている。この電源スイッチをオンさせると、ＤＣ電源部の回路が起動し、直流電圧を発生させる。
【００８７】
リレー回路に接続された電源ラインは、加熱源である各種ヒータに接続され、リレーの接点が接続されると、ヒータがオンするように構成されている。このリレー回路は、両切りのリレーで記載されているが、ホットラインのみをスイッチングする片切りのリレーでも良い。
【００８８】
リレー回路は、ＤＣ電源部で作られる直流電源である＋２４Ｖに接続する接点を持ったリレーで構成され、２４Ｖが印加されていないときに接点が接続され、２４Ｖが印加されているときに接点が離間される。また、リレーの両端には、逆起防止用のダイオードが挿入されている。
【００８９】
次に、上述したように構成された電力供給回路の動作について、図８を参照して説明する。図８は、この電力供給回路の各部分における状態の変化を示すタイミングチャートである。
【００９０】
まず、電源スイッチがオフされているとき、リレーの両端には電圧が印加されないため、リレー回路の接点は、接続された状態となり、除湿ヒータに電力が供給される。電源スイッチがオンされた場合、ＤＣ電源部により、＋２４Ｖの直流電源が生成されるため、リレーの両端には電圧が印加され、リレー回路の接点は、離間された状態となり、除湿ヒータへの電力供給が停止する。コピー動作が可能となっているときには、この状態である。また、この状態で複写機のドアを開けても、リレー回路には、＋２４Ｖが供給されるため、除湿ヒータへ電力が供給されることはない。コピー動作中にジャムが発生した場合、ジャムした紙を取り除くためにドアを開けなければならず、この状態では定着器の温度はコピー動作中の温度に上がっているためこの状態で除湿用のヒータに通電してしまうと機内温度が上昇してしまい不具合を発生させてしまうが、本発明では、このような不具合は発生しない。
【００９１】
コピーを一定時間使用しない場合、複写機は省エネモードへと移行し、定着器の制御目標温度を通常より低く設定したり、定着器の温度制御を停止する。さらに、複写機の未使用時間が長時間経つと、複写機で使用しているモータ、クラッチ、ソレノイド等への負荷系の電源である＋２４Ｖの直流電源を遮断し、さらなる省エネルギを達成させる。このモードは、定着器への通電を停止してから時間が経ったときに入るモードであり、この状態が続くと機械内部の温度が下がり除湿ヒータをオンさせる必要がでてくる。本発明の実施形態では、＋２４Ｖの供給が停止されるため、除湿ヒータへの電力の供給が開始される。
【００９２】
形成する画像の転写条件や、転写紙の搬送性を考えると、除湿ヒータへ常時通電した状態にした方が、良好な条件になる。しかしながら、近年、機械の高速化や複合機の要求が高まっており、定着ヒータの電力消費、及び、機械本体のＤＣ電源の電力消費量が増大し、家庭用商用電源の定格電流値を超えてしまう可能性を生じる。定着器の温度がリロード温度に達していない場合は、駆動系のＤＣ電源駆動による負荷（モータ、クラッチ、ソレノイド等）を動作は行わないが、リロード温度を超え、さらにコピー動作中には、画像形成のための機械駆動が行われるため、ＤＣ電源の消費量が増える。このため、機械動作中に除湿ヒータの電力供給を遮断すれば、ＤＣ電源の電力消費にまわすことができる。
【００９３】
従って、本発明によれば、定着リロード温度に達したときには除湿ヒータへの電力供給を停止させるため、直流電源を用いる駆動系の動作時には、トータルの電力消費を低減させることができ、家庭用商用電源の定格電流値を超えることなく除湿効果を高めることができる。
【００９４】
具体的な本発明の実施形態を、図１と図２とを用いて説明する。図１は、本発明の実施形態としてのカラー複写機におけるヒータなどへの電力供給回路の構成例を示すブロック回路図である。
【００９５】
図１において、定着温度センサの入力情報をＡ／Ｄ変換器へ入力し、さらにＣＰＵへデジタル情報として入力する。定着温度センサは、通常、サーミスタを用いてよい。リレーの両端にかかる電源供給は、ＦＥＴ、トランジスタ等で実現される。
【００９６】
Ａ／Ｄ変換器からＣＰＵに入力される温度情報が、あらかじめ設定される温度（今回の例では、定着リロード温度とする）よりも低い場合、リレーの両端にかかる電圧を制御する電圧出力信号がディスエーブル状態となり、あらかじめ設定される温度よりも高い場合、イネーブル状態となる。つまり、リレーの両端にかかる電源電圧を＋２４Ｖ＿ＲＥＬＡＹとすると、＋２４Ｖ＿ＲＥＬＡＹに、２４Ｖの電圧が印加されているとき、リレーの接点が離間され、電圧が印加されていないとき、リレーの接点が接触し、除湿ヒータへ電力の供給が行われる。省エネモード時には、＋２４Ｖの電源電圧の出力が遮断されるため、リレーの接点が接触し、除湿ヒータへ電力の供給が行われる。
【００９７】
図２は、各ヒータへの通電状態の説明をするためのタイミングチャートである。すなわち、上述した図１に示す電力供給回路の各部分における状態の変化を示すタイミングチャートである。
【００９８】
メインＳＷがオフの状態では、リレーに供給される電源がないため、リレーの接点が接触し、除湿ヒータへ電力の供給が行われる（状態▲１▼）。メインＳＷがオンすると、＋２４Ｖ電源が出力される。定着リロード温度までは、リレーへの通電を遮断し、リレーの接点を接触状態のままとし、除湿ヒータへの電力供給を続ける（状態▲２▼）。定着リロード温度に達すると、モータ等の負荷系の動作を開始するため、電力消費が大きくなる。そのため、ＣＰＵは、リレーへの通電を開始させ、リレーの接点を離間し、除湿ヒータへ電力の供給が遮断する（状態▲３▼）。この遮断後、定着器の温度は、コピー可能状態の温度に達する（状態▲４▼）。
【００９９】
コピー動作が一定時間以上行われない場合、ＣＰＵは、省エネモードへと遷移させる。定着器の温度は徐々に低下していく。このとき、リレーへの電圧を供給する制御信号がイネーブル状態でも、＋２４Ｖ電源は、省エネモードでは供給されないため、リレーに供給される＋２４Ｖ＿ＲＥＬＡＹは、オフ状態となり、リレーの接点が接触し、除湿ヒータへ電力の供給が行われる（状態▲５▼）。リロード温度以下に達すると、リレーへの電圧を供給する制御信号をディスエーブル状態にする（状態▲６▼）。
【０１００】
ユーザがコピー動作等を行わせたい場合、所定の操作により機械本体を省エネ状態から解除させる。省エネモードから通常モードへ移行するため、＋２４Ｖが供給され、リレーの接点が離間し、除湿ヒータへ電力の供給が遮断される。この状態は、除湿ヒータの通電状態的には、メインＳＷをオンした後の状態と同等である。ＣＰＵは、定着ヒータへの通電を開始することにより、定着器の温度は上昇していき、リロード温度以下になった定着器も、再びリロード温度へ達し（状態▲２▼）、その後、コピー動作可能となる（状態▲３▼）。この状態で、メインＳＷを切った場合、リレーに供給される電源がないため、リレーの接点が接触し、除湿ヒータへ電力の供給が行われる（状態▲１▼）。
【０１０１】
また、図３に示す実施形態では、ＣＰＵを用いることなく、リレー回路への出力を制御することができるため、省エネモード時には、ＣＰＵ、Ａ／Ｄ変換器への電源供給を遮断することができ、省エネモード時のさらなる、省エネルギを達成することができる。また、Ａ／Ｄとソフト制御による実施形態として、図４に示すように構成することもできる。
【０１０２】
ところで、コピー動作が終了するとすぐに省エネモードに入り、コピーを行うときに短時間で機械を立ち上げる機械が開発されている。このような機械では、コピーをしていないときのほとんどの時間除湿ヒータが通電されることになるため、省エネモードに入ってから所定時間を経過してから除湿ヒータの通電を開始するタイマ機能を有することにより、機内温度が十分に冷えてから除湿ヒータを動作させることができるようになり、省エネルギと除湿機能の両立を達成することができる。
【０１０３】
なお、上述した各実施形態は、本発明の好適な実施形態であり、本発明の主旨を逸脱しない範囲内において、種々変形して実施することが可能である。例えば、上述した本発明の実施形態では、除湿ヒータを例に取って説明したが、光学結露ヒータ、帯電・ドラムヒータ等でも同様に目的を達成することができる。
【０１０４】
図９〜図１４は、本発明の画像形成装置及び画像形成装置における加熱源制御方法の第２の実施の形態を示す図であり、図９は、本発明の画像形成装置及び画像形成装置における加熱源制御方法の第２の実施の形態を適用したカラー複写機１００の概略外観図である。
【０１０５】
図９において、カラー複写機１００は、複写機本体１０２、自動原稿送り部１０３、ステープル・シフトトレイ付きフィニッシャ１０４、両面印刷ユニット１０５、拡張給紙トレイ１０６、１ビン排紙トレイ１０７及び手差しユニット１０８を備えている。
【０１０６】
複写機本体（画像形成部）１０２は、図１０に示すように、原稿を読み取るスキャナ部１１１、トナー像を転写紙に形成する電子写真プロセス部１１２及び転写紙上のトナー像を転写紙に定着させる定着部１１３、転写紙を収納し搬送する給紙部１１４、感光体１１５上に画像データの潜像を形成する書込ユニット１１６等を備えている。
【０１０７】
スキャナ部１１１には、ランプ１２１、ミラー１２２、レンズ１２３及びＣＣＤ（Ｃｈａｒｇｅ　Ｃｏｕｐｌｅｄ　Ｄｅｖｉｃｅ　）１２４等を備え、ランプ１２１からの光を原稿に照明して、原稿で反射された反射光をミラー１２２及びレンズ１２３等を介してＣＣＤ１２４に結像されて、ＣＣＤ１２４で電気信号に変換して、画像データとして出力する。
【０１０８】
電子写真プロセス部１１２は、トナー像の形成及びそのトナー像の転写紙（用紙）への転写を行う部分であり、感光体１１５の周囲に各プロセス部を備えている。すなわち、感光体１１５の周囲には、帯電器１３１、マゼンタ現像器１３２Ｍ、シアン現像器１３２Ｃ、イエロー現像器１３２Ｙ、ブラック現像器１３２Ｋからなるカラー現像器群１３２、感光体１１５上に残留するトナーをクリーニングするクリーニング部１３３及び除電ランプ１３４が順番に配置されており、感光体１１５は、ローラ１３５、１３６に張り渡されて図１０中矢印で示す時計方向に搬送される。また、ローラ１３５の位置には、ベルト状の中間転写体１３７が対向配置されており、中間転写体１３７は、一次転写器１３８及びローラ１３９、１４０に張り渡されている。ローラ１３９部分には、中間転写体１３７を挟んで二次転写器１４１が配設されており、ローラ１４０部分には、中間転写体１３７を挟んで中間転写クリーニング部１４２が配設されている。中間転写体１３７は、図１０に矢印で示す時計方向に回転駆動される。
【０１０９】
電子写真プロセス部１１２は、感光体１１５上にマゼンタ現像器１３２Ｍ、シアン現像器１３２Ｃ、イエロー現像器１３２Ｙ、ブラック現像器１３２Ｋのいずれかによってトナー像を形成し、感光体１１５上のトナー像を一次転写器１３８で中間転写体１３７に転写する。マゼンタ現像器１３２Ｍ、シアン現像器１３２Ｃ、イエロー現像器１３２Ｙ、ブラック現像器１３２Ｋには、それぞれマゼンタ、シアン、イエロー、ブラックのトナーが収容されており、単色の画像を形成する場合には、中間転写体１３７に転写したトナー像をそのまま転写紙に転写するが、フルカラー画像を形成する場合には、マゼンタ、シアン、イエロー、ブラックの４種類のトナーで感光体１１５上に各々個別に形成したトナー像を中間転写体１３７上で重ね合わせてから転写紙へと転写する。また、電子写真プロセス部１１２は、１次転写または２次転写を行った後、感光体１１５及び中間転写体１３７上に残留するトナーを、それぞれのクリーニング部１３３及び中間転写クリーニング部１４２で清掃する。
【０１１０】
給紙部１１４は、トナー像を転写する複数種類の複数枚の転写紙（用紙）を格納しており、転写紙を二次転写器１４１と中間転写体１３７との間に搬送する。給紙部１１４から二次転写器１４１に搬送される転写紙は、その先端と中間転写体１３７上の画像の先端を合わせるために、図示しないレジストローラによりタイミング調整される。
【０１１１】
定着部１１３には、中間転写体１３７上のトナー像が二次転写器１４１で転写された転写紙が搬送され、定着部１１３は、この転写紙を加熱・加圧しつつ搬送して転写紙上に転写されたトナー像を定着させる。
【０１１２】
書込ユニット１１６は、画像データ処理部で処理された画像データを担持して出力する複数（例えば、２個）の半導体レーザ、レーザ光を等角速度偏向するポリゴンミラーを装備するポリゴンスキャナ、等角速度偏向されたレーザ光が電子写真プロセス部１１２の感光体１１５上で等速度偏向されるように補正するｆθ特性を有した光学素子及び１ライン毎のそれぞれの同期信号を発生させる同期検知部から形成されている。複数の半導体レーザは、例えば、１パッケージに複数出力をするＬＤ（Ｌａｓｅｒ　Ｄｉｏｄｅ　：レーザーダイオード）アレイであってもよいし、１個のレーザを用いた書込ユニットであってもよい。
【０１１３】
このカラー複写機１００は、フルカラーモード時、トナー像を、マゼンタ、シアン、イエロー、ブラックの順番で形成して、画像形成する。
【０１１４】
すなわち、カラー複写機１００は、図示しないコントローラから画像形成の開始が指示されると、ポリゴンスキャナーの回転を開始し、メインモータを駆動させて、感光体１１５や定着ローラの回転を始める。カラー複写機１００は、予め帯電器１３１によって一様に帯電された感光体１１５に、制御部内で展開されたビットマップデータを書込ユニット１１６でレーザ光として書き込むことにより、潜像を形成し、その潜像をトナーにより顕像化して、カラー画像を出力する。すなわち、カラー複写機１００は、初めに、マゼンタ成分のデータを書込ユニット１１６でレーザ光として出力し、このレーザ光により感光体１１５上に静電潜像を形成して、その静電潜像にマゼンタ現像器１３２Ｍでマゼンタのトナーを付着させる。そして、このマゼンタのトナー像を中間転写体１３７に転写する。カラー複写機１００は、続いて、シアン成分のデータを書込ユニット１１６でレーザ光として出力し、このレーザ光により感光体１１５上に静電潜像を形成して、その静電潜像にシアン現像器１３２Ｃでシアンのトナーを付着させる。カラー複写機１００は、このシアンのトナー像を中間転写体１３７上のマゼンタのトナー像に重ね合わせるように転写する。カラー複写機１００は、続いて、イエロー成分のデータを書込ユニット１１６でレーザ光として出力し、このレーザ光により感光体１１５上に静電潜像を形成して、その静電潜像にイエロー現像器１３２Ｙでイエローのトナーを付着させる。カラー複写機１００は、このイエローのトナー像を中間転写体１３７上のマゼンタ、シアンのトナー像に重ね合わせるように転写する。カラー複写機１００は、さらに、ブラック成分のデータを書込ユニット１１６でレーザ光として書き込んで、感光体１１５上に静電潜像を形成させ、この静電潜像にブラック現像器１３２Ｋでブラックのトナーを付着させて、このブラックのトナー像を中間転写体１３７上のマゼンタ、シアン、イエローのトナー像に重ね合わせる。カラー複写機１００は、以上の処理を順次行って、中間転写体１３７上にマゼンタ、シアン、イエロー、ブラックの４色のトナー像を重ね合わせた状態で形成し、この４色のトナー像を一度に転写紙に転写して、フルカラーのトナー像の転写された転写紙を定着部１１３に搬送して、定着部１１３で加熱・加圧して定着処理した後、排紙トレイ上に排出する。
【０１１５】
また、カラー複写機１００は、両面印刷を行う場合、上述のようにして片面印刷された転写紙を定着部１１３で定着した後、図示しない搬送系路切換部で転写紙の搬送経路を切り換えて、両面印刷ユニット１０５に搬送し、両面印刷ユニット１０５で転写紙を反転させて、再度、レジストローラ部へと搬送する。カラー複写機１００は、画像先端に合わせて、タイミング良くレジストローラを駆動して転写紙を中間転写体１３７と二次転写器１４１の間に搬送し、片面印刷された転写紙の裏側に中間転写体１３７上のトナー画像を転写して、定着部１１３により画像を定着して排紙トレイ上に排出する。
【０１１６】
そして、カラー複写機１００は、複写機本体１０２内に、各構成部品等の結露を防止するために、図１１に示すように、第１から第３の３つの除湿ヒータ（加熱源）１６１、１６２、１６３が配置されており、この除湿ヒータ１６１、１６２、１６３は、スキャナ部１１１の内部の光学結露ヒータ、帯電・ドラムヒータ及び除湿ヒータ等を総称していて、所定位置に配置されている。光学結露ヒータは、ミラー１２２やレンズ１２３に生ずる結露による画像不良を防止し、帯電・ドラムヒータは、帯電器１３１を構成する帯電ローラ・ドラムの保温と結露防止により、画像不良、転写紙の巻き付きによるジャムの防止を図るものである。除湿ヒータは、給紙部１１４の給紙カセットや拡張給紙トレイ１０６にセットされている転写紙（記録紙）が湿って紙詰まりを起こすのを防止したり、紙の搬送性や転写率の低下を防止するものである。
【０１１７】
そして、この除湿ヒータ１６１、１６２、１６３へ電力を供給する電源供給回路１５０は、図１１に示すように、交流電源１５１に接続され、電源ラインのホットライン１５２ａにはフューズ１５３が接続されて、電源ラインのホットライン１５２ａは、電源スイッチ１５４の切換スイッチ１５４ａとリレー回路１５５の接点１５５ｂ側の端子に接続されている。また、電源ラインのニュートラルライン１５２ｂは、電源スイッチ１５４の切換スイッチ１５４ｂとリレー回路１５５の接点１５５ａ側の端子に接続されている。
【０１１８】
電源スイッチ１５４は、２つの切換スイッチ１５４ａと切換スイッチ１５４ｂからなり、この両切換スイッチ１５４ａ、１５４ｂは、使用者の操作によって連動して切り換えができるように構成されている。この電源スイッチ１５４をオンさせると、ＤＣ電源部１５６の回路が起動して直流電圧を発生させる。
【０１１９】
リレー回路１５５に接続された交流電源１５１の電源ラインは、加熱源である３つの第１除湿ヒータ１６１、第２除湿ヒータ１６２、第３除湿ヒータ１６３に接続され、リレー回路１５５の接点１５５ｂを介してホットライン１５２ａと各除湿ヒータ１６１〜１６３との間には、各除湿ヒータ１６１〜１６３への接続状態を検出するヒータ接続検知部（接続検出手段）１６４〜１６６が配設されている。このヒータ接続検知部１６４〜１６６としては、例えば、ホトカプラが用いられており、検出結果を制御部１５７に出力する。
【０１２０】
リレー回路１５５の接点１５５ａを介してニュートラルライン１５２ｂと各除湿ヒータ１６１〜１６３との間には、各除湿ヒータ１６１〜１６３への通電を制御するヒータ出力制御部（通電制御手段）１６７〜１６９が配設されており、ヒータ出力制御部１６７〜１６９としては、例えば、リレーやトライアックが用いることができるが、本実施の形態では、リレーを用いているものとして、以下説明する。なお、これらの各ヒータ出力制御部１６７〜１６９は、リレーであるヒータ出力制御部１６７〜１６９の両端に電圧が印加されると、リレーの接点が離間された状態となり、電圧が印加されないときには、リレーの接点が接触するタイプのリレーであり、制御部１５７の制御下で動作して、各除湿ヒータ１６１〜１６３への通電を制御する。
【０１２１】
リレー回路１５５は、その駆動コイル１５５ｃが、ＤＣ電源部１５６で生成される直流電源である＋２４Ｖに接続されており、駆動コイル１５５ｃにＤＣ電源部１５６から２４Ｖが印加されていないときには、接点１５５ａと接点１５５ｂを接続して交流電源１５１による電力を除湿ヒータ１６１、１６２、１６３側に供給する。また、リレー回路１５５は、ＤＣ電源部１５６から２４Ｖが印加されているときには、接点１５５ａと接点１５５ｂを離間させて、交流電源１５１による除湿ヒータ１６１〜１６３への電力供給を遮断する。すなわち、リレー回路１５５は、いわゆるブレーク接点型のリレーである。
【０１２２】
制御部１５７は、ＤＣ電源部１５６に省エネルギモードのオン／オフを指示制御して、省エネモード時の電源制御を行うとともに、ヒータ出力制御部１６７〜１６９の動作を制御して、除湿ヒータ１６１〜１６３への通電の制御を行う。すなわち、各除湿ヒータ１６１〜１６３は、それぞれ独立に通電が制御される。
【０１２３】
この電源供給回路１５０は、省エネモードに移行すると、制御部１５７からＤＣ電源部１５６に省エネオン指示を出力し、ＤＣ電源部１５６が、リレー回路１５５に供給している２４Ｖの直流電圧の発生を停止し、複数の除湿ヒータ１６１〜１６３が接続されている場合に、ヒータ接続検知部１６４〜１６６が、接続されている除湿ヒータ１６１〜１６３を検出して、制御部１５７が、このヒータ接続検知部１６４〜１６６の検出結果に基づいて、ヒータ出力制御部１６７〜１６９を介して選択的に除湿ヒータ１６１〜１６３に通電させる。
【０１２４】
なお、リレー回路１５５は、本実施の形態では、両切りのリレー回路を用いているが、ホットライン１５２ａのみをスイッチングする片切りのリレー回路を用いてもよい。
【０１２５】
また、電源供給回路１５０は、リレー回路１５５の両端に、逆起防止用のダイオード１５８が挿入されている。
【０１２６】
次に、本実施の形態の作用を説明する。本実施の形態のカラー複写機１００は、省エネモードを行いつつ適切に結露を防止する。
【０１２７】
すなわち、カラー複写機１００は、複写機本体１０２内に、各構成部品等の結露を防止するために、図１１に示すように、除湿ヒータ（加熱源）１６１〜１６３が配置されており、この除湿ヒータ１６１〜１６３は、スキャナ部１１１の内部の光学結露ヒータ、帯電・ドラムヒータ及び除湿ヒータ等を総称していて、所定位置に配置されている。
【０１２８】
そして、この除湿ヒータは１６１〜１６３は、図１１に示した電源供給回路１５０によりその電力供給が制御されている。
【０１２９】
すなわち、まず、電源供給回路１５０は、電源スイッチ１５４がオフされているとき、リレー回路１５５の両端にＤＣ電源部１５６から直流電圧（＋２４Ｖ）を印加しないため、リレー回路１５５の接点１５５ａと接点１５５ｂが接続された状態となり、除湿ヒータ１６１〜１６３側に交流電源１５１の電力を供給する。
【０１３０】
次に、電源供給回路１５０は、電源スイッチ１５４がオンされた場合、ＤＣ電源部１５６が＋２４Ｖの直流電源の電圧を生成し、リレー回路１５５の両端に直流電圧を印加するため、リレー回路１５５の接点１５５ａと接点１５５ｂを離間した状態とし、除湿ヒータ１６１〜１６３側への交流電源１５１からの電力供給を遮断する。
【０１３１】
すなわち、カラー複写機１００は、コピー動作が可能となっているときには、除湿ヒータ１６１〜１６３への電力供給を停止した状態としている。また、電源供給回路１５０は、この状態でカラー複写機１００のドアが開けられても、リレー回路１５５に＋２４Ｖを供給しているため、除湿ヒータ１６１〜１６３側へ電力を供給しない。
【０１３２】
したがって、コピー動作中にジャムが発生して、ジャムした紙を取り除くためにドアが開けられても、電源供給回路１５０は、除湿ヒータ１６１〜１６３への電力供給を停止しているため、定着部１１３の温度がコピー動作中の温度に上がっている状態で、除湿ヒータ１６１〜１６３に通電して、機内温度が上昇してしまう不具合を防止することができる。
【０１３３】
また、カラー複写機１００は、コピー動作を一定時間行わないと、制御部１５７が省エネルギモード（省エネモード）をオンして省エネモードへと移行し、定着部１１３の制御目標温度を通常より低く設定したり、定着部１１３の温度制御を停止する。さらに、制御部１５７は、カラー複写機１００の未使用時間が長時間発生すると、カラー複写機１００のモータ、クラッチ、ソレノイド等の部品への負荷系の電源である＋２４Ｖの直流電源を遮断し、さらなる省エネルギを達成させる。
【０１３４】
この省エネモードは、定着部１１３への通電を停止してから時間が経ったときに入るモードであり、この省エネ状態が続くと、カラー複写機１００の機械内部の温度が下がり、除湿ヒータ１６１〜１６３をオンにさせる必要が生じる。
【０１３５】
そこで、電源供給回路１５０は、そのような場合にＤＣ電源部１５６からリレー回路１５５に＋２４Ｖの供給を停止し、接点１５５ａ、１５５ｂを閉じさせて、除湿ヒータ１６１〜１６３側に交流電源１５１からの電力の供給を開始させる。
【０１３６】
すなわち、図１２に示すように、電源スイッチ１５４がオンで、省エネモードがオンになると、電源供給回路１５０は、省エネモードに移行すると、複数の除湿ヒータ１６１〜１６３が接続されている場合に、接続されている除湿ヒータ１６１〜１６３を検出して、選択的に除湿ヒータ１６１〜１６３に通電する。
【０１３７】
具体的には、電源供給回路１５０は、図１２に示すように、電源スイッチ１５４がオフの状態では、リレー回路１５５に供給される電源がないため、図１２に状態▲１▼として示すように、リレー回路１５５の接点１５５ａ、１５５ｂが接触し、各除湿ヒータ１６１〜１６３への電力の供給ラインがアクティブとなる。また、第１除湿ヒータ１６１、第２除湿ヒータ１６２、第３除湿ヒータ１６３の出力を制御する各ヒータ出力制御部１６７〜１６９も供給される電源がないため、リレーである各ヒータ出力制御部１６７〜１６９の接点が接触して、接続される全ての除湿ヒータ１６１〜１６３へ電力供給が行われる。
【０１３８】
電源供給回路１５０は、電源スイッチ１５４がオンされると、図１２に状態▲２▼として示すように、ＤＣ電源部１５６からリレー回路１５５の駆動コイル１５５ｃに＋２４Ｖ電源が出力され、リレー回路１５５の両端に直流電圧を印加するため、リレー回路１５５の接点１５５ａと接点１５５ｂを離間した状態とし、除湿ヒータ１６１〜１６３への交流電源１５１からの電力供給を遮断して停止する。
【０１３９】
コピー動作が一定時間以上行われない場合、制御部１５７は、省エネルギモード（省エネモード）をオンして省エネモードへと移行し、省エネモードへ移行すると、除湿ヒータ１６１〜１６３の出力を制御するリレーである各ヒータ出力制御部１６７〜１６９が接触状態にあるため、接続される全ての除湿ヒータ１６１〜１６３がオンし、除湿ヒータ１６１〜１６３の接続状態をヒータ接続検知部１６４〜１６６で検出することができ、制御部１５７は、各除湿ヒータ１６１〜１６３の接続状態を検出した後、リレーである各ヒータ出力制御部１６７〜１６９をオンさせて、接点を離間させて、各除湿ヒータ１６１〜１６３への通電を停止する。
【０１４０】
そして、制御部１５７は、第１除湿ヒータ１６１の接続を検出すると、図１２に状態▲３▼として示すように、リレーであるヒータ出力制御部１６７への通電を停止して、ヒータ出力制御部１６７の接点を接触させ、第１除湿ヒータ１６１への通電を開始して、第１除湿ヒータ１６１をオンさせる。制御部１５７は、この第１除湿ヒータ１６１への通電を開始して所定時間経過すると、第１除湿ヒータ１６１への通電を遮断する。
【０１４１】
第１除湿ヒータ１６１への通電を遮断すると、制御部１５７は、同様に、第２除湿ヒータ１６２の接続を検出したため、図１２に状態▲４▼として示すように、リレーであるヒータ出力制御部１６８への通電を停止して、ヒータ出力制御部１６８の接点を接触させ、第２除湿ヒータ１６２への通電を開始して、第２除湿ヒータ１６２をオンさせる。制御部１５７は、この第２除湿ヒータ１６２への通電を開始して所定時間経過すると、第２除湿ヒータ１６２への通電を遮断する。
【０１４２】
第２除湿ヒータ１６２への通電を遮断すると、制御部１５７は、同様に、第３除湿ヒータ１６３の接続を検出したため、図１２に状態▲５▼として示すように、リレーであるヒータ出力制御部１６９への通電を停止して、ヒータ出力制御部１６９の接点を接触させ、第３除湿ヒータ１６３への通電を開始して、第３除湿ヒータ１６３をオンさせる。制御部１５７は、第３除湿ヒータ１６３への通電を開始して所定時間経過すると、第３除湿ヒータ１６３への通電を遮断する。
【０１４３】
制御部１５７は、その後、省エネモードが解除されるまで、上記状態▲３▼、状態▲４▼、状態▲５▼を繰り返し行う。
【０１４４】
すなわち、図１３に示すように、制御部１５７は、省エネルギモード（省エネモード）をオンして省エネモードへと移行すると、第１除湿ヒータ１６１が接続されているかチェックし（ステップＳ１０１）、第１除湿ヒータ１６１が接続されていると、当該第１除湿ヒータ１６１をオンして（ステップＳ１０２）、予め設定されている規定時間が経過したかチェックする（ステップＳ１０３）。制御部１５７は、規定時間が経過すると、第１除湿ヒータ１６１をオフし（ステップＳ１０４）、第２除湿ヒータ１６２が接続されているかチェックする（ステップＳ１０５）。なお、ステップＳ１０１で、第１除湿ヒータ１６１が接続されていないときには、制御部１５７は、そのまま、ステップＳ１０５に移行して、第２除湿ヒータ１６２が接続されているかチェックする（ステップＳ１０５）。
【０１４５】
ステップＳ１０５で、第２除湿ヒータ１６２が接続されていると、当該第２除湿ヒータ１６２をオンして（ステップＳ１０６）、予め設定されている規定時間が経過したかチェックする（ステップＳ１０７）。制御部１５７は、規定時間が経過すると、第２除湿ヒータ１６２をオフし（ステップＳ１０８）、第３除湿ヒータ１６３が接続されているかチェックする（ステップＳ１０９）。なお、ステップＳ１０５で、第２除湿ヒータ１６２が接続されていないときには、制御部１５７は、そのまま、ステップＳ１０９に移行して、第３除湿ヒータ１６３が接続されているかチェックする（ステップＳ１０９）。
【０１４６】
ステップＳ１０９で、第３除湿ヒータ１６３が接続されていると、当該第３除湿ヒータ１６３をオンして（ステップＳ１１０）、予め設定されている規定時間が経過したかチェックする（ステップＳ１１１）。制御部１５７は、規定時間が経過すると、第３除湿ヒータ１６３をオフし（ステップＳ１１２）、ステップＳ１０１に戻って、第１除湿ヒータ１６１が接続されているかのチェックから上記同様に処理する（ステップＳ１０１〜Ｓ１１２）。なお、ステップＳ１０９で、第３除湿ヒータ１６３が接続されていないときには、制御部１５７は、そのまま、ステップＳ１０１に戻って、第１除湿ヒータ１６１が接続されているかのチェックから上記同様に処理する（ステップＳ１０１〜Ｓ１０９）。
【０１４７】
なお、図１３のフローチャートに示す状態▲３▼、状態▲４▼、状態▲５▼は、図１２に示すタイミングチャートの状態▲３▼、状態▲４▼、状態▲５▼と対応している。
【０１４８】
そして、ユーザが省エネモード状態にあるカラー複写機１００でコピー動作等を行わせたい場合に、所定の操作により機械本体を省エネ状態から解除させると、制御部１５７は、ＤＣ電源部１５７への省エネルギモードをオフにして、省エネモードから通常モードへ移行するために、ＤＣ電源部１５６が＋２４Ｖをリレー回路１５５に供給し、リレー回路１５５の接点１５５ａ、１５５ｂを離間させる。リレー回路１５５の接点１５５ａ、１５５ｂが離間すると、全ての除湿ヒータ１６１〜１６３へ電力の供給が遮断される。この状態は、除湿ヒータの通電状態的には、図１２に状態▲２▼として示すように、電源スイッチ１５４をオンした後の状態と同等である。
【０１４９】
この状態で、電源スイッチ１５４が切られると、リレー回路１５５に供給される電源がなくなるため、リレー回路１５５の接点１５５ａ、１５５ｂが接触し、図１２に状態▲１▼として示すように、各除湿ヒータ１６１〜１６３に電力の供給が行われる。
【０１５０】
この場合、全ての除湿ヒータ１６１〜１６３のワッテージが同じであると、除湿ヒータ１６１〜１６３が消費する電力を１／３に抑えることができる。
【０１５１】
このように、本実施の形態のカラー複写機１００は、給紙部１１４から搬送される転写紙に画像データに基づいて画像を形成して出力する複写機部（画像形成部）２の所定部分を、少なくとも印字可能な第１のモードのときにオフして通電を遮断し、エネルギを節約する省エネルギを実現する第２のモードのときにオンして通電を行うリレー回路１５５により電源の供給／遮断の行われる複数の加熱源である除湿ヒータ１６１、１６２、１６３で保温するとともに、当該複数の除湿ヒータ１６１、１６２、１６３の接続状態を個別にヒータ接続検知部１６４〜１６６で検出し、当該検出結果に基づいて、当該リレー回路１５５を通して各除湿ヒータ１６１〜１６３に供給される電源の供給／遮断を行うヒータ出力制御部１６７〜１６９の動作を制御部１５７で制御して、リレー回路１５５を通して各除湿ヒータ１６１〜１６３に供給される電源の供給／遮断を行っている。
【０１５２】
したがって、複数の除湿ヒータ１６１〜１６３への電力供給を行って、機内温度の温め過ぎを抑えることができ、省エネモード時の電力消費量を削減することができるとともに、より良い除湿機能を実現して画像品質と用紙搬送品質を向上させることができる。
【０１５３】
また、本実施の形態のカラー複写機１００は、制御部１５７が、ヒータ接続検知部１６４〜１６６の検出結果に基づいて、除湿ヒータ１６１〜１６３毎にヒータ出力制御部１６７〜１６９を選択的に動作させている。
【０１５４】
したがって、複数の加熱源である除湿ヒータ１６１〜１６３への電力供給を選択的に行って、機内温度の温め過ぎをより適切に抑えることができ、省エネモード時の電力消費量を削減することができるとともに、より一層良い除湿機能を実現して、画像品質と用紙搬送品質をより一層向上させることができる
さらに、本実施の形態のカラー複写機１００は、制御部１５７が、ヒータ出力制御部１６７〜１６９の除湿ヒータ１６１〜１６３毎の動作のタイミングを適宜変更している。
【０１５５】
したがって、複数の除湿ヒータ１６１〜１６３への電力供給を効果的に行って、機内温度の温め過ぎをより一層適切に抑えることができ、省エネモード時の電力消費量をより一層削減することができるとともに、より一層良い除湿機能を実現して、画像品質と用紙搬送品質をより一層向上させることができる。
【０１５６】
なお、上記説明では、３つの除湿ヒータ１６１〜１６３のうち、１つの除湿ヒータ１６１〜１６３を順番に動作させているが、図１４に示すように、３つの除湿ヒータ１６１〜１６３のうち、除湿ヒータ１６１〜１６３を２つずつ動作させるようにしてもよい。
【０１５７】
すなわち、図１４では、状態▲６▼として示すように、第３除湿ヒータ１６３と第１除湿ヒータ１６１を同時に動作させ、状態▲７▼として示すように、第１除湿ヒータ１６１と第２除湿ヒータ１６２を同時に動作させ、さらに、状態▲８▼として示すように、第２除湿ヒータ１６２と第３除湿ヒータ１６３を同時に動作させる。
【０１５８】
この場合、全ての除湿ヒータ１６１〜１６３のワッテージが同じであると、除湿ヒータ１６１〜１６３が消費する電力を２／３に抑えることができる。
【０１５９】
また、省エネモード時には、ＰＳＵ（電源ユニット）等からの発熱もあり、カラー複写機１００の機内温度は、室温に比べ高くなっており、除湿ヒータ１６１〜１６３を常時点灯する必要がないため、除湿ヒータ１６１〜１６３への通電を断続的に切ると、常時通電状態に比較して、消費電力を抑えることができる。
【０１６０】
さらに、本実施の形態のカラー複写機１００は、各除湿ヒータ１６１〜１６３を通電させる所定時間（規定時間）を任意に変更可能にしてもよい。
【０１６１】
この場合、通電させる所定時間の変更方法としては、例えば、制御基板上の不揮発メモリに通電時間（切換時間）のデータを格納しておき、そのデータに基づいて、通電時間を変えるようにする。
【０１６２】
このようにすると、カラー複写機１００本体の設置環境や季節に応じた気温の変化による機内温度の変化により一層適切に対応した除湿制御を行うことができる。
【０１６３】
図１５〜図１７は、本発明の画像形成装置及び画像形成装置における加熱源制御方法の第３の実施の形態を示す図である。
【０１６４】
なお、本実施の形態は、上記第２の実施の形態のカラー複写機１００と同様のカラー複写機に適用したものであり、本実施の形態の説明においては、上記第２の実施の形態のカラー複写機１００と同様の構成部分には、同一の符号を付すとともに、図示しない部分についても、必要に応じて、第２の実施の形態の説明で用いた符号をそのまま用いて説明する。
【０１６５】
図１５は、本発明の画像形成装置及び画像形成装置における加熱源制御方法の第３の実施の形態を適用したカラー複写機１００の電源供給回路１８０の要部回路構成図であり、カラー複写機１００の構成自体は、上記第２の実施の形態のカラー複写機１００と同様の構成である。
【０１６６】
図１５において、電源供給回路１８０は、交流電源１５１に接続されていて、交流電源１５１の電源ラインのホットライン１５２ａには、フューズ１５３が接続されており、電源ラインのホットライン１５２ａは、電源スイッチ１５４の切換スイッチ１５４ａとリレー回路１５５の接点１５５ｂ側の端子に接続されている。また、電源ラインのニュートラルライン１５２ｂは、電源スイッチ１５４の切換スイッチ１５４ｂとリレー回路１５５の接点１５５ａ側の端子に接続されている。また、リレー回路１５５の駆動コイル１５５ｃには、ＤＣ電源部１８１に設けられた出力制御部１８２が接続されており、出力制御部（通電制御手段）１８２は、制御部１８３からの電圧出力信号のオン（ＯＮ）／オフ（ＯＦＦ）に基づいて、リレー回路１５５の駆動コイル１５５ｃへの２４Ｖの供給及び供給遮断を行う。
【０１６７】
電源スイッチ１５４は、上述のように、２つの切換スイッチ１５４ａと切換スイッチ１５４ｂからなり、この両切換スイッチ１５４ａ、１５４ｂは、使用者の操作によって連動して切り換えができるように構成されている。この電源スイッチ１５４をオンさせると、ＤＣ電源部１８１の回路が起動して直流電圧を発生させる。
【０１６８】
リレー回路１５５に接続された交流電源１５１の電源ラインは、加熱源である除湿ヒータ１８４に接続されており、リレー回路１５５の両端に、逆起防止用のダイオード１５８が挿入されている。
【０１６９】
制御部（制御手段）１８３は、Ａ／Ｄ変換器１８５及びＣＰＵ（Ｃｅｎｔｒａｌ　Ｐｒｏｃｅｓｓｉｎｇ　Ｕｎｉｔ　）１８６等を備え、Ａ／Ｄ変換器１８５には、定着部１１３の定着温度を検出するサーミス他等の温度センサ１８７の検出したアナログの温度信号が入力される。Ａ／Ｄ変換器（Ａ／Ｄ変換手段）１８５は、温度センサ１８７から入力されるアナログの温度信号をデジタル変換して、ＣＰＵ１８６に出力し、ＣＰＵ（演算手段）１８６は、デジタルの温度情報に基づいて、ＤＣ電源部１８１の出力制御部１８２の動作を制御して、リレー回路１５５の動作を制御することで、除湿ヒータ１８４のオン／オフ動作を制御する。
【０１７０】
次に、本実施の形態の作用を説明する。カラー複写機１００は、形成する画像の転写条件や転写紙の搬送性を考えると、除湿ヒータ１８４へ常時通電した状態にした方が、良好な条件になる。しかしながら、近年、機械の高速化の要求が高まっており、定着部１１３が必要とする電力が増大している。
【０１７１】
そして、転写紙を挟んで定着搬送する定着部１１３は、一般的に、転写紙上のトナーを定着するいわゆる定着ローラと転写紙の裏側から加圧する加圧ローラとで構成され、カラー複写機１００や高速機では、定着するのに必要なエネルギが大きいため、定着ローラと加圧ローラの両者にヒータ等の発熱体を使用する場合が多い。また、電源投入後の印字動作可能な状態までの立ち上がり時間（ファーストコピー時間、ファーストプリント時間）短縮のために、発熱量の大きい発熱体を使用することとなる。なお、定着部１１３は、定着ローラ、加圧ローラを備えたものであるだけでなく、ローラではなく、ベルトを使用した定着部でも同様である。
【０１７２】
このような状況で、除湿ヒータ１８４を搭載して、安定した転写、搬送、定着を行い、なおかつ、ファーストコピー時間の短縮が行えるようにするためには、電力消費のエネルギ消費を効率的に配分する必要がある。
【０１７３】
そこで、本実施の形態のカラー複写機１００は、定着部１１３の定着温度を温度センサ１８７で検出して、制御部１８３のＡ／Ｄ変換器１８５に入力し、Ａ／Ｄ変換器１８５でてる変換した温度情報をＣＰＵ１８６に入力して、ＣＰＵ１８６で定着温度に基づいて、ＤＣ電源部１８１の出力制御部１８２を制御することで、リレー回路１５５の動作を制御して、除湿ヒータ１８４のオン／オフ動作を制御している。
【０１７４】
具体的には、ＣＰＵ１８６は、ＬＤ変換器１８５から入力される温度情報が予め設定された規定温度（以下、設定温度１とする。）よりも低いと、出力制御部１８２を介してリレー回路１５５の両端にかかる電圧を制御する電圧出力信号をイネーブル状態とし、温度情報が予め設定された規定温度（以下、設定温度１とする。）よりも高い場合、ディスエーブル状態とする。
【０１７５】
すなわち、リレー回路１５５の駆動コイルの両端にかかる電源電圧を＋２４Ｖ＿ＲＥＬＡＹとすると、＋２４Ｖ＿ＲＥＬＡＹに、２４Ｖの電圧が印加されているとき、リレー回路１５５の接点１５５ａ、１５５ｂが離間され、電圧が印加されていないとき、リレー回路１５５の接点１５５ａ、１５５ｂが接触して、除湿ヒータ１８４へ電力の供給が行われる。
【０１７６】
そして、カラー複写機１００は、省エネモード時には、＋２４Ｖの電源電圧の出力が遮断されるため、リレー回路１５５の接点１５５ａ、１５５ｂが接触し、除湿ヒータ１８４へ電力の供給が行われる。
【０１７７】
上記処理を、図１６のタイミングチャート及び図１７のフローチャートに基づいて、さらに詳細に説明すると、カラー複写機１００は、電源スイッチ１５４がオフの状態では、図１６に状態▲１▼として示すように、リレー回路１５５に供給される電源がないため、リレー回路１５５の接点１５５ａ、１５５ｂが接触し、除湿ヒータ１８４へ電力の供給が行われる。
【０１７８】
カラー複写機１００は、電源スイッチ１５４がオンされると、＋２４Ｖ電源が出力され、図１７に示すように、制御部１８３のＣＰＵ１８６は、省エネモード（省エネルギモード）であるかチェックする（ステップＳ２０１）。
【０１７９】
電源スイッチ１５４のオン直後は、省エネルギモードではないため、ＣＰＵ１８６は、定着サーミスタである温度センサ１８７の値を読み取り、設定温度２と比較して（ステップＳ２０２）、設定温度２よりも低い場合には、図１６に状態▲２▼として示すように、リレー回路１５５への通電を開始させて、リレー回路１５５の接点１５５ａ、１５５ｂを離間し、除湿ヒータ１８４へ電力の供給を遮断し（ステップＳ２０３）、定着及び加圧ヒータをオンして、定着温度制御を開始する（ステップＳ２０４）。
【０１８０】
ＣＰＵ１８６は、定着温度が設定温度２に達すると、定着及び加圧ヒータをオンし続けると、定着ローラ及び加圧ローラの熱容量の影響で、定着ローラ及び加圧ローラの表面温度が、目標温度（設定温度１）を越えてしまう（オーバーシュート）ため、例えば、定着ヒータと加圧ヒータへの通電を１秒毎に切り換え（交互に通電する）、それぞれの通電Ｄｕｔｙを下げるように制御し、オーバーシュートの発生をおさえる。この状態になると、定着ヒータと加圧ヒータが同時に通電することがないため、家庭用商用電源の定格を越えることがなく、電力を他の負荷に供給することができる。
【０１８１】
そこで、ＣＰＵ１８６は、サーミスタである温度センサ１８７の読み値が設定温度２よりも高くなったかを監視し（ステップＳ２０５）、図１６に状態▲３▼として示すように、温度センサ１８７の読み値が設定温度２よりも高くなると、リレー回路１５５への通電を停止させ、リレー回路１５５の接点１５５ａ、１５５ｂを接触させて、除湿ヒータ１８４へ電力の供給を行いステップＳ２０１に戻って上記同様の処理を行う（ステップＳ２０６）。
【０１８２】
そして、ステップＳ２０２で、サーミスタである温度センサ１８７の読み値が、設定温度２よりも低くなると、除湿ヒータ１８４をオンさせて（ステップＳ２０６）、ステップＳ２０１に戻って、上記同様に処理する（ステップＳ２０１〜Ｓ２０６）。
【０１８３】
その後、図１６に状態▲４▼として示すように、定着ローラの温度（定着温度）が、設定温度１に達すると、コピーが可能となる。このときも、ＣＰＵ１８６は、リレー回路１５５への通電を停止させたままとし、除湿ヒータ１８４へ電力の供給を続ける。
【０１８４】
コピー動作が一定時間以上行われない場合、ＣＰＵ１８６は、省エネモードへと遷移させ、ステップＳ２０１での判断がＹＥＳとなって、ＣＰＵ１８６は、定着温度制御を停止し、この省エネモードでは、定着部１１３の温度は徐々に低下していく。そして、温度センサ１８７の読み値が設定温度２よりも高い場合は、図１６に状態▲５▼として示すように、省エネルギモードを解除すると、ＣＰＵ１８６が定着部１１３の温度を、定着ヒータと加圧ヒータへの通電を交互に通電するように制御するため、除湿ヒータ１８４への通電は、停止させる必要はない。
【０１８５】
さらに、省エネルギモードの状態が続くと、温度センサ１８７の読み値が、図１６に状態▲６▼として示すように、設定温度２よりも低くなる。
【０１８６】
この状態で、省エネルギ状態が解除されると、ＣＰＵ１８６は、定着部１１３の温度を、定着ヒータと加圧ヒータとを同時に動作させ、できるだけ早くコピー可能状態にするように制御するため、家庭用商用電源の定格を越えてしまうこととなる。そこで、ＣＰＵ１８６は、図１６に状態▲２▼’として示すように、除湿ヒータ１８４への通電を停止してから、定着部１１３の温度制御を開始する。
【０１８７】
その後、上述の状態▲３▼、状態▲４▼へと遷移し、電源スイッチ１５４が切られると、図１６に状態▲１▼として示すように、リレー回路１５５に供給される電源がないため、リレー回路１５５の接点１５５ａ、１５５ｂが接触し、除湿ヒータ１８４へ電力の供給が行われる。
【０１８８】
このように、本実施の形態のカラー複写機１００は、給紙部１１４から搬送される転写紙に画像データに基づいて画像を形成し、画像形成した転写紙を定着部１１３で所定の定着温度で加熱して定着させた後、出力する複写機部（画像形成部）２の所定部分を、通電時にオフし、非通電時にオンするブレーク接点型のリレー回路１５５により電源の供給／遮断の行われる除湿ヒータ１８４で保温するとともに、エネルギを節約する省エネルギを実現する第２のモードのときに、リレー回路１５５の動作を制御して除湿ヒータ１８４への電源の供給／遮断を制御する出力制御部１８２を介してリレー回路１５５をオンさせて除湿ヒータ１８４に電源の供給を行い、印字可能及び印字可能な状態への遷移中の第１のモードのときに、定着部１１３の温度を検出する温度センサ１８７の検出結果に基づいて、制御部１８３が、出力制御部１８２を介してリレー回路１５５のオン／オフを制御して、除湿ヒータ１８４への電源の供給／遮断を制御している。
【０１８９】
したがって、できるだけ長い時間、除湿ヒータ１８４への電力供給を行って、画像品質と用紙搬送品質を向上させることができるとともに、除湿ヒータ１８４への電力供給タイミングを制御して、除湿ヒータ１８４の消費電力分を定着部１１３のヒータの出力に利用できるようにして、定着部１１３のヒータへの電力供給を大きくして、ファーストコピー時間を短縮させることができ、利用性を向上させることができる。
【０１９０】
また、本実施の形態のカラー複写機１００は、温度センサ１８７を、アナログの温度検出信号を制御部１８３に出力するものとし、制御部１８３が、当該アナログの温度検出信号をデジタルの温度検出信号に変換するＡ／Ｄ変換器１８５と、当該デジタルの温度検出信号に基づいて、出力制御部１８２を介してリレー回路１５５のオン／オフを制御する演算手段であるＣＰＵと、を備えたものとしている。
【０１９１】
したがって、カラー複写機１００の既存の定着温度検出センサを利用して、除湿ヒータ１８４への電力供給を制御することができ、画像品質と陽子搬送品質を向上させることができるとともに、利用性を向上させることができる。
【０１９２】
図１８及び図１９は、本発明の画像形成装置及び画像形成装置における加熱源制御方法の第４の実施の形態を示す図である。
【０１９３】
なお、本実施の形態は、上記第１の実施の形態のカラー複写機１００と同様のカラー複写機に適用したものであり、本実施の形態の説明においては、上記第１の実施の形態のカラー複写機１００と同様の構成部分には、同一の符号を付すとともに、図示しない部分についても、必要に応じて、第１の実施の形態の説明で用いた符号をそのまま用いて説明する。
【０１９４】
本実施の形態は、上記第３の実施の形態の定着部１１３の温度検出をハード的に行って、除湿ヒータ１８４の駆動制御を行うものである。
【０１９５】
本実施の形態のカラー複写機１００は、図１８に示すように、定着部１１３の定着温度の検出を行う温度センサとして、定着サーミスタ（温度検出手段）１９１を使用しており、定着サーミスタ１９１には、＋５Ｖが抵抗Ｒ１を介して入力されている。定着サーミスタ１９１は、定着部１１３の定着温度を検出して、検出結果の検出温度を比較器（比較手段）１９２の−（マイナス）入力に出力する。
【０１９６】
比較器１９２の＋（プラス）入力には、設定温度２に対応する電圧として、＋５Ｖを抵抗Ｒ２と抵抗Ｒ３で分圧した所定の規定電圧が入力されており、比較器１９２の出力は、リレー回路１５５の駆動コイル１５５ｃへの電圧の供給・停止を行う出力制御部９３に入力されている。
【０１９７】
したがって、本実施の形態のカラー複写機１００は、省エネルギモードで、定着サーミスタ１９１の検出する定着温度が設定温度２よりも低い温度のときには、図１９に状態▲７▼として示すように、リレー回路１５５の駆動コイル１５５ｃへの電圧を供給する制御信号がイネーブルとなるが、＋２４Ｖ電源は、省エネモードでは供給されないため、リレー回路１５５に供給される＋２４Ｖ＿ＲＥＬＡＹは、オフ状態となり、リレー回路１５５の接点１５５ａ、１５５ｂが接触し、除湿ヒータ１８４へ電力の供給が行われる。
【０１９８】
したがって、ＣＰＵ等の制御部を用いることなく、リレー回路１５５への出力を制御することができ、省エネモード時に、上記第２の実施の形態のＣＰＵ１８６やＡ／Ｄ変換器１８５への電源供給を遮断して、省エネモード時に、より一層エネルギ消費を削減することができる。
【０１９９】
なお、上記各実施の形態の定着部１１３の温度制御の説明で、定着ヒータと加圧ヒータとを連続通電を行う場合（状態▲２▼）と、交互に通電を行う場合（状態▲３▼）を説明したが、カラー複写機１００が、コピー動作が終了するとすぐに省エネモードに入り、コピーを行うときに短時間でカラー複写機１００を立ち上げるタイプのものであると、機内温度の温度変化がコピーをしていないときのほとんどの時間除湿ヒータが通電されることになるため、省エネモードに入ってから所定時間を経過してから除湿ヒータの通電を開始するタイマ機能を設けると、機内温度が十分に冷えてから除湿ヒータを動作させることができるようになり、省エネルギと除湿機能の両立を達成することができる。
【０２００】
また、上記第２の実施の形態から第３の実施の形態の説明では、ヒータとして、除湿ヒータを用いた場合について説明したが、ヒータとしては、光学結露ヒータ、帯電・ドラムヒータ等に対しても、同様に適用することができる。
【０２０１】
図２０〜図２３は、本発明の画像形成装置及び画像形成装置における加熱源制御方法の第５の実施の形態を示す図である。
【０２０２】
なお、本実施の形態は、上記第２の実施の形態及び第３の実施の形態のカラー複写機１００と同様のカラー複写機に適用したものであり、本実施の形態の説明においては、上記第２の実施の形態及び第３の実施の形態のカラー複写機１００と同様の構成部分には、同一の符号を付すとともに、図示しない部分についても、必要に応じて、第２の実施の形態の説明で用いた符号をそのまま用いて説明する。
【０２０３】
図２０は、本発明の画像形成装置及び画像形成装置における加熱源制御方法の第５の実施の形態を適用したカラー複写機２００の正面概略構成図であり、カラー複写機２００の構成自体は、上記第２の実施の形態のカラー複写機１００と同様の構成であるが、本実施の形態のカラー複写機２００には、転写紙の吸湿を防止する加熱源としての除湿ヒータ２０１が配設されている。
【０２０４】
除湿ヒータ２０１は、転写紙の除湿効果を好適に発揮する所定位置に配置されるが、給紙部１１４の給紙カセットの下側に配置されることが多く、拡張給紙トレイ１０６にも設けてもよい。
【０２０５】
この除湿ヒータ２０１は、転写搬送部品の結露防止や転写紙の除湿効果を発揮して、画像不良、用紙の巻き付きによるジャムの発生を防止する。
【０２０６】
そして、このカラー複写機２００は、図２１に示すように、電源供給回路２１０を備えており、上記第３の実施の形態の電源回路１８０と同様に、交流電源１５１に接続されていて、交流電源１５１の電源ラインのホットライン１５２ａには、フューズ１５３が接続されており、電源ラインのホットライン１５２ａは、電源スイッチ１５４の切換スイッチ１５４ａとリレー回路１５５の接点１５５ｂ側の端子に接続されている。また、電源ラインのニュートラルライン１５２ｂは、電源スイッチ１５４の切換スイッチ１５４ｂとリレー回路１５５の接点１５５ａ側の端子に接続されている。また、リレー回路１５５の駆動コイル１５５ｃには、ＤＣ電源部１８１に設けられた出力制御部１８２が接続されており、出力制御部（通電制御手段）１８２は、ＦＥＴ（Ｆｉｅｌｄ　Ｅｆｆｅｃｔ　Ｔｒａｎｓｉｓｔｏｒ　）やトランジスタ等で構成されていて、制御部２１１からの電圧出力信号のオン（ＯＮ）／オフ（ＯＦＦ）に基づいて、リレー回路１５５の駆動コイル１５５ｃへの２４Ｖの供給及び供給遮断を行う。
【０２０７】
電源スイッチ１５４は、上述のように、２つの切換スイッチ１５４ａと切換スイッチ１５４ｂからなり、この両切換スイッチ１５４ａ、１５４ｂは、使用者の操作によって連動して切り換えができるように構成されている。この電源スイッチ１５４をオンさせると、ＤＣ電源部１８１の回路が起動して直流電圧を発生させる。
【０２０８】
リレー回路１５５に接続された交流電源１５１の電源ラインは、加熱源である除湿ヒータ２０１に接続されており、リレー回路１５５の両端に、逆起防止用のダイオード１５８が挿入されている。
【０２０９】
制御部（制御手段）２１１は、スイッチ２１２を介してＤＣ電源部１８１の出力制御部１８２に＋２４ＶＳを供給し、制御部２１１には、情報入力部２１３から各種情報信号が入力される。制御部２１１は、情報入力部２１３からの各種情報信号に基づいて、ＤＣ電源部１８１の出力制御部１８２の動作を制御して、リレー回路１５５の動作を制御することで、除湿ヒータ２０１のオン／オフ動作を制御する。
【０２１０】
情報入力部（情報入力手段）２１３は、カラー複写機２００の動作状況を検出する各種センサ、各種設定スイッチ及び動作モードを格納するメモリ等からの情報信号を入力するものである。
【０２１１】
そして、上記電源供給回路２１０は、その要部を簡略化して示すと、図２２のように示すことができ、出力制御部１８２が情報入力部２１３からの情報信号（例えば、紙サイズ、紙種の設定信号）に基づいて、ハードウェアで、リレー回路１５５の駆動コイル１５５ｃへの２４Ｖの供給及び供給遮断を行う。
【０２１２】
次に、本実施の形態の作用を説明する。カラー複写機２００は、形成する画像の転写条件や転写紙の搬送性を考えると、除湿ヒータ２０１へ常時通電した状態にした方が、良好な条件になる。しかしながら、近年、省エネルギ化の要求が高まっており、非動作時の消費電力を少なくすることが要望されている。
【０２１３】
このような状況において、除湿ヒータ２０１により安定した転写、転写紙の搬送及び定着を行うとともに、省エネルギを実現するためには、除湿ヒータ２０１の通電制御を効率的に行う必要がある。
【０２１４】
例えば、転写紙が厚紙である場合、搬送性に関しては、環境の影響を受けにくいが、転写紙が薄紙である場合には、転写性に影響を受けやすいだけでなく、転写紙の不送り、重送、ローラ等への巻き付き等によりジャムが発生するおそれがある。
【０２１５】
そこで、本実施の形態のカラー複写機２００は、転写紙の種類により転写条件を設定することで、高画質の画像を提供することができるため、例えば、情報入力部２１３の情報信号の情報として、カラー複写機２００の操作部から給紙部１１４の転写紙の種類を入力しておき、予め設定された条件で画像形成をしたり、給紙部に転写紙の種類を設定するＳＷ等を設けたりして、転写紙の種類を分類し、転写紙に応じた条件での画像形成がなされる。
【０２１６】
すなわち、カラー複写機２００は、コピー動作が一定時間行われないと、省エネモードへと移行し、定着部１１３の制御目標温度を通常より低く設定したり、定着部１１３の温度制御を停止したりし、また、カラー複写機２００の未使用時間が長時間経つと、カラー複写機２００で使用しているモータ、クラッチ、ソレノイド等への負荷系の電源である＋２４Ｖの直流電源を遮断し、さらなる省エネルギを達成させる。この省エネモードは、定着部１１３への通電を停止してから時間が経ったときに入るモードであり、この状態が続くと、機械内部の温度が下がって、除湿ヒータ２０１をオンさせる必要が生じる。
【０２１７】
そして、上述のように、電源供給回路２１０は、電源スイッチ１５４がオフされているとき、リレー回路１５５の両端にＤＣ電源部１８１から直流電圧（＋２４Ｖ）を印加しないため、リレー回路１５５の接点１５５ａと接点１５５ｂが接続された状態となり、除湿ヒータ２０１に交流電源１５１の電力を供給する。
【０２１８】
以下、具体的に、図２３のタイミングチャートに基づいて説明すると、電源スイッチ（メインＳＷ）１５４がオフの状態では、リレー回路１５５に供給される電源がないため、図２３に状態▲１▼として示すように、電源供給回路２１０は、リレー回路１５５の接点１５５ａと接点１５５ｂが接触し、除湿ヒータ２０１へ電力の供給が行われる。
【０２１９】
電源供給回路２１０は、電源スイッチ１５４がオンすると、図２３に状態▲２▼として示すように、ＤＣ電源部１８１からリレー回路１５５の駆動コイル１５５ｃに＋２４Ｖ電源が出力される状態となるが、除湿ヒータ２０１を動作させる条件を決定する情報入力部２１３からの情報信号の入力情報が除湿ヒータ２０１を動作させる条件（動作条件）であると、除湿ヒータ２０１へ電力の供給をする。
【０２２０】
そして、電源供給回路２１０は、図２３に状態▲３▼として示すように、除湿ヒータ２０１を動作させる条件を決める情報入力部２１３からの情報信号が除湿ヒータ２０１を停止させる条件（停止条件）であると、出力制御部１８２が、リレー回路１５５の駆動コイル１５４ｃの両端に電圧を印加し、リレー回路１５５の接点１５５ａと接点１５５ｂを離間して、除湿ヒータ２０１へ電力の供給を遮断する。
【０２２１】
また、電源供給回路２１０は、再び、除湿ヒータ２０１を動作させる条件を決める情報信号が除湿ヒータ２０１の動作条件であると、図２３に状態▲３▼の右側の状態▲２▼として示すように、リレー回路１５５の両端の電圧をオフし、リレー回路１５５の接点１５５ａと接点１５５ｂを当接して、除湿ヒータ２０１へ電力の供給を行う。
【０２２２】
そして、カラー複写機２００は、コピー動作が一定時間以上行われない場合、制御部２１１のＣＰＵが、省エネモードへと遷移させる。省エネモードでは、＋２４Ｖの電源電圧の出力が遮断されるため、電源供給回路２１０は、図２３に状態▲４▼として示すように、リレー回路１５５の接点１５５ａと接点１５５ｂが接触し、除湿ヒータ２０１へ電力の供給を行う。
【０２２３】
その後、省エネルギモードが解除されると、電源供給回路２１０は、上記同様に、除湿ヒータ２０１を動作させる条件を決める情報信号に基づいて除湿ヒータ２０１への電源の供給と電源の供給遮断を行う（図２３の状態に及び状態▲３▼参照）。
【０２２４】
そして、電源スイッチ１５４がオフにされると、図２３に右端の状態▲１▼として示すように、リレー回路１５５に供給される電源がないため、電源供給回路２１０は、リレー回路１５５の接点１５５ａと接点１５５ｂが接触し、除湿ヒータ２０１へ電力の供給を行う。
【０２２５】
このように、本実施の形態のカラー複写機２００は、給紙部１１４から搬送される転写紙に画像データに基づいて画像を形成して出力する画像形成部である電子写真プロセス部１１２及び定着部１１３の所定部分を、通電時にオフし、非通電時にオンするブレーク接点型のリレー回路１５５により電源の供給／遮断の行われる加熱源である除湿ヒータ２０１で保温するとともに、エネルギを節約する省エネルギを実現する第２のモードのときに、リレー回路１５５の動作を制御して除湿ヒータ２０１への電源の供給／遮断を制御する通電制御手段である出力制御部１８２を介してリレー回路１５５をオンさせて除湿ヒータ２０１に電源の供給を行い、印字可能及び印字可能な状態への遷移中の第１のモードのときに、各種情報を検出する情報検出手段である情報入力部２１３の検出情報に基づいて、リレー回路１５５への通電と非通電を行って、リレー回路１５５をオン／オフさせて除湿ヒータ２０１への電源の供給／遮断を行っている。
【０２２６】
したがって、ハードウェアで、できるだけ長い時間、除湿ヒータ２０１への電力供給を行えるように除湿ヒータ２０１への電力供給タイミングを制御することができ、良好な画像品質と搬送品質を確保することができるとともに、ＣＰＵ等の電子部品への電力供給も停止して、省エネルギの効果をより一層向上させることができる。
【０２２７】
なお、上記説明では、電源供給回路２１０の動作をハードウェアで構成しているが、ソフト的にリレー回路１５５を動作させてもよい。
【０２２８】
この場合、電源供給回路２１０は、図２４に示すように、ＣＰＵ２２１、メモリ２２２及び出力制御部２２３を備えているとともに、上記同様に、交流電源１５１にリレー回路１５５を介して除湿ヒータ２０１が接続されている。
【０２２９】
この電源供給回路２１０は、出力制御部２２３がＣＰＵ（制御手段）２２１の制御下で、リレー回路１５５の駆動コイル１５５ｃへの２４Ｖの供給及び供給遮断を行う。
【０２３０】
そして、ＣＰＵ２２１には、情報入力部２１３からの情報信号が入力され、また、カラー複写機２００の各種動作状態や設定状態等を示す状態情報の格納されているメモリ（記憶手段）２２２が接続されている。
【０２３１】
ＣＰＵ２２１は、情報入力部２１３からの情報信号及びメモリ２２２内の状態情報に基づいて、出力制御部２２３のオン／オフ動作を制御して、リレー回路１５５の駆動コイル１５５ｃへの２４Ｖの供給及び供給遮断を行わせる。
【０２３２】
すなわち、図２５に示すように、ＣＰＵ２２１は、出力制御部２２３に、リレー回路１５５の駆動コイル１５５ｃへの通電を停止させて、除湿ヒータ２０１への電源の供給を行わせると（ステップＳ３０１）、省エネルギモードかどうかチェックし（ステップＳ３０２）、省エネルギモードでないときには、除湿ヒータ２０１をオフすることのできる条件が整っているかどうかを情報入力部２１３からの情報信号及びメモリ２２２の状態情報に基づいて判定する（ステップＳ３０３）。
【０２３３】
ステップＳ３０３で、除湿ヒータ２０１をオフすることのできる条件が整っていると、ＣＰＵ２２１は、出力制御部２２３にリレー回路１５５の駆動コイル１５５ｃへの通電を行わせて、リレー回路１５５の接点１５５ａと接点１５５ｂをオフさせ、除湿ヒータ２０１への電源の供給を遮断させる（ステップＳ３０４）。
【０２３４】
ＣＰＵ２２１は、除湿ヒータ２０１への電源の供給を遮断させると、省エネルギモードに移行するかどうかチェックし（ステップＳ３０５）、省エネルギモードに移行しないときには、除湿ヒータ２０１への通電を行う条件になっているかどうかを情報入力部２１３からの情報信号及びメモリ２２２の状態情報に基づいて判定する（ステップＳ３０６）。
【０２３５】
ステップＳ３０６で、除湿ヒータ２０１への通電を行う条件になっていないときには、ＣＰＵ２２１は、ステップＳ３０５に戻って、省エネルギモードに移行するかどうかチェックし（ステップＳ３０５）、省エネルギモードに移行するときには、ステップＳ３０１に戻って、出力制御部２２３に、リレー回路１５５の駆動コイル１５５ｃへの通電を停止させて、除湿ヒータ２０１への電源の供給を行わせて、上記同様に処理する（ステップＳ３０１〜Ｓ３０６）。
【０２３６】
ステップＳ３０５で、省エネルギモードに移行せず、ステップＳ３０６で、除湿ヒータ２０１への通電を行う条件になっているときには、ＣＰＵ２２１は、ステップＳ３０１に戻って、出力制御部２２３に、リレー回路１５５の駆動コイル１５５ｃへの通電を停止させて、除湿ヒータ２０１への電源の供給を行わせて、上記同様に処理する（ステップＳ３０１〜Ｓ３０６）。
【０２３７】
このようにすると、最適な状態で除湿ヒータ２０１を制御することができ、搬送性能、転写性能をより一層向上させることができるとともに、省エネルギの効果をより一層向上させることができる。
【０２３８】
図２６〜図２８は、本発明の画像形成装置及び画像形成装置における加熱源制御方法の第６の実施の形態を示す図である。
【０２３９】
なお、本実施の形態は、上記第２の実施の形態及び第３の実施の形態のカラー複写機１００と同様のカラー複写機に適用したものであり、本実施の形態の説明においては、上記第２の実施の形態及び第３の実施の形態のカラー複写機１００と同様の構成部分には、同一の符号を付すとともに、図示しない部分についても、必要に応じて、第２の実施の形態の説明で用いた符号をそのまま用いて説明する。
【０２４０】
図２６は、本発明の画像形成装置及び画像形成装置における加熱源制御方法の第５の実施の形態を適用したカラー複写機３００の正面概略構成図であり、カラー複写機３００の構成自体は、上記第２の実施の形態のカラー複写機１００と同様の構成であるが、本実施の形態のカラー複写機３００には、上記第５の実施の形態のカラー複写機２００と同様に、転写紙の吸湿を防止する除湿ヒータ３０１が配設されている。
【０２４１】
除湿ヒータ３０１は、転写紙の除湿効果を好適に発揮する所定位置に配置されるが、給紙部１１４の給紙カセットの下側に配置されることが多く、拡張給紙トレイ１０６にも設けてもよい。
【０２４２】
この除湿ヒータ３０１は、転写搬送部品の結露防止や転写紙の除湿効果を発揮して、画像不良、用紙の巻き付きによるジャムの発生を防止する。
【０２４３】
そして、このカラー複写機３００は、図２７に示すように、電源供給回路３１０を備えており、上記第３の実施の形態の電源回路１８０と同様に、交流電源１５１に接続されていて、交流電源１５１の電源ラインのホットライン１５２ａには、フューズ１５３が接続されており、電源ラインのホットライン１５２ａは、電源スイッチ１５４の切換スイッチ１５４ａとリレー回路１５５の接点１５５ｂ側の端子に接続されている。また、電源ラインのニュートラルライン１５２ｂは、電源スイッチ１５４の切換スイッチ１５４ｂとリレー回路１５５の接点１５５ａ側の端子に接続されている。また、リレー回路１５５の駆動コイル１５５ｃには、ＤＣ電源部３１１から２４ＶのＤＣ電源が供給されており、ＤＣ電源部３１１は、制御部３１２からの省エネルギオン／オフ信号に基づいて、リレー回路１５５の駆動コイル１５５ｃへの２４Ｖの供給及び供給遮断を行う。
【０２４４】
電源スイッチ１５４は、上述のように、２つの切換スイッチ１５４ａと切換スイッチ１５４ｂからなり、この両切換スイッチ１５４ａ、１５４ｂは、使用者の操作によって連動して切り換えができるように構成されている。この電源スイッチ１５４をオンさせると、ＤＣ電源部３１１の回路が起動して直流電圧を発生させる。
【０２４５】
リレー回路１５５に接続された交流電源１５１の電源ラインは、加熱源である除湿ヒータ３０１に接続されており、リレー回路１５５の両端に、逆起防止用のダイオード１５８が挿入されている。
【０２４６】
制御部（制御手段）３１２は、メモリ３１３を備えており、制御部３１２には、カレンダＩＣ３１４及び時計ＩＣ３１５が接続されている。
【０２４７】
カレンダＩＣ（カレンダ手段）３１４は、月日データ等のカレンダデータを計時して制御部３１２に出力し、時計ＩＣ（タイマ手段）３１５は、時刻データを計時して制御部３１２に出力する。
【０２４８】
なお、カレンダＩＣ３１４と時計ＩＣ３１５は、１つのパッケージで構成されたカレンダ機能付き時計ＩＣであってもよいし、ＡＳＩＣ内部に取り入れたものであってもよい。
【０２４９】
メモリ３１３には、各種データ、特に、省エネルギモードに移行させる日付、曜日等のカレンダデータ、時刻のデータが省エネルギ移行データとして予め格納されており、制御部３１２は、カレンダＩＣ３１４及び時計ＩＣ３１５の計時する月日データ等のカレンダデータや時刻データが、メモリ３１３内に予め格納されている省エネルギモードに移行させる日付、曜日、時刻の省エネルギ移行データに該当する場合、省エネルギの最上位モードに移行させて、除湿ヒータ３０１への通電を行う。この省エネルギの最上位モードとは、カラー複写機１００が、省エネルギモードとして備えている省エネルギ効果の異なる複数の省エネルギモードのうち、最も省エネルギ効果の高い省エネルギモードをいう。
【０２５０】
次に、本実施の形態の作用を説明する。カラー複写機３００は、上述のように、形成する画像の転写条件や転写紙の搬送性を考えると、除湿ヒータ３０１へ常時通電した状態にした方が、転写紙は良好な条件になる。
【０２５１】
そして、ブレーク接点型のリレー回路１５５を用いて除湿ヒータ３０１を制御する場合、カラー複写機３００のコピーあるいはプリント動作等が終了した後、すぐに＋２４Ｖが落ちるレベルの省エネルギモードに入ると、消費電力を効率的に節約することができるが、実使用上、コピーあるいはプリントの出力時間がかかってしまうため、ユーザの使用状況により、省エネルギモードに移行するまでの時間設定を適切に行っているのが一般的である。また、ユーザによっては、出力時間の短縮のために、定着部１１３の制御目標温度を通常より低くするモードまでしか行わないモードに設定し、＋２４Ｖが落ちるレベルには移行しないようにしている場合もある。この場合には、電源スイッチ１５４がオンしている場合には、除湿ヒータ３０１に通電されることはなく、形成する画像の転写条件や、転写紙の搬送性の問題で厳しい条件となる。
【０２５２】
このような状況で、除湿ヒータ３０１を利用して、安定した転写、搬送、定着を行わせるとともに、省エネルギを実現するためには、除湿ヒータ３０１の通電制御を効率的に行う必要がある。
【０２５３】
特に、湿度の変化は、転写紙の含水分率の変化をもたらし、高湿時には、転写紙の含水分量が増え、転写抜けがでて、画像に大きな影響を来すこととなり、温湿度センサを設置して、環境に応じた転写条件を設定しても、日本の梅雨の時期などは、画像面積率の高い画像は、特にベタ部での転写抜けの画像が出力される場合がある。
【０２５４】
また、一日の中でも時間帯により、使用頻度の高い時間帯、逆に、使用頻度の低い時間帯が存在し、使用頻度の低い時間帯においては、省エネルギモードに関係なく、除湿ヒータ３０１を動作させた方が、転写紙の除湿を行うことができ、転写、搬送条件が良好になる。
【０２５５】
そこで、本実施の形態のカラー複写機３００は、予め省エネルギモードに移行させる日付、曜日、時刻のデータを省エネルギ移行データとして、予めメモリ３１３に格納し、メモリ３１３に格納されている省エネルギ移行データに該当する場合、省エネルギモードの最上位モードに移行させて、除湿ヒータ３０１への通電を行う。
【０２５６】
具体的には、例えば、カラー複写機３００の操作部から省エネルギモードに移行させるデータとして、休日のデータが格納されている。すなわち、休日には、カラー複写機３００を使用することが基本的にはないため、省エネルギ移行データとして予め格納されており、制御部３１２は、カレンダＩＣ３１４及び時計ＩＣ３１５の計時する月日データや時刻データが、このメモリ３１３に格納されている休日の省エネルギ移行データに該当すると、強制的に省エネルギモードの最上位モードまで移行させ、除湿ヒータ３０１への通電を行って、転写紙を良好な状態に保つ。
【０２５７】
また、平日でも夜中の時間帯は、カラー複写機３００を使用することは基本的にはないため、夜中の時間帯が予めメモリ３１３に格納されており、制御部３１２は、カレンダＩＣ３１４及び時計ＩＣ３１５の計時する月日データや時刻データが、このメモリ３１３に格納されている時間帯の省エネルギ移行データに該当すると、当該省エネルギ移行データに対応する時間帯を強制的に省エネルギの最上位まで移行させ、除湿ヒータ３０１へ通電を行う。これらの状態で、メインＳＷである電源スイッチ１５４がオフされた場合にも、除湿ヒータ３０１への通電を行うことができる。
【０２５８】
すなわち、制御部３１１は、図２８に示すように、カレンダＩＣ３１４及び時計ＩＣ３１５の計時する月日データや時刻データを取得して、これらの月日データや時刻データがメモリ３１３に予め省エネルギ移行データとして設定されて格納されている日付、曜日、または、時間に該当するかチェックし（ステップＳ４０１）、該当しないときには、省エネルギモードへの移行が要求されていないと判断して、省エネルギモードに移行することなく、定期的にこのチェック処理を行う（ステップＳ４０１）。
【０２５９】
ステップＳ４０１で、カレンダＩＣ３１４及び時計ＩＣ３１５の計時する月日データや時刻データがメモリ３１３に予め省エネルギ移行データとして設定されて格納されている日付、曜日、または、時間に該当するときには、制御部３１２は、省エネルギモードへの移行が要求されていると判断して、一定時間以上カラー複写機３００が使用されていないかチェックして、使用されてから一定時間以上経過していないときには、一定時間経過するのを待って（ステップＳ４０２）、省エネルギモードに移行し、リレー回路１５５の駆動コイル１５５ｃの両端への通電をオフし、リレー回路１５５の接点１５５ａと接点１５５ｂを接続させて、除湿ヒータ３０１への電力の供給を行う（ステップＳ４０３）。
【０２６０】
次に、制御部３１２は、操作部でのコピー操作等の省エネルギモード解除要求があるかチェックし、省エネルギモード解除要求があると（ステップＳ４０４）、省エネルギモードを解除して、リレー回路１５５の駆動コイル１５５ｃの両端への通電を行って、リレー回路１５５の接点１５５ａと接点１５５ｂを離間させ、除湿ヒータ３０１へ電力の供給を遮断して（ステップＳ４０５）、ステップＳ４０１に戻って、上記同様に処理する（ステップＳ４０１〜Ｓ４０５）。
【０２６１】
このように、本実施の形態のカラー複写機３００は、給紙部１１４から搬送される転写紙に画像データに基づいて画像を形成して出力する画像形成部である電子写真プロセス部１１２及び定着部１１３の所定部分を、通電時にオフし、非通電時にオンするブレーク接点型のリレー回路１５５により電源の供給／遮断の行われる加熱源である除湿ヒータ３０１保温するとともに、制御部３１２が、エネルギを節約する省エネルギを実現する第２のモードのときに、リレー回路１５５の動作を制御して除湿ヒータ３０１への電源の供給／遮断を制御する通電制御手段であるＤＣ電源部３１１を介してリレー回路１５５をオンさせて除湿ヒータ３０１に電源の供給を行い、印字可能及び印字可能な状態への遷移中の第１のモードのときに、ＤＣ電源部３１１をオン／オフ動作させて、リレー回路１５５への通電と非通電を行い、リレー回路３１１をオン／オフさせて除湿ヒータ３０１への電源の供給／遮断を制御するとともに、時計ＩＣ３１５の提供する現在の時刻情報及びカレンダＩＣ３１４の提供する現在の月日等のカレンダ情報と記憶手段であるメモリ３１３に予め設定された動作モードの移行月日等のカレンダデータ及び時刻データを比較し、当該比較結果に基づいて、第２モードへの移行を制御している。
【０２６２】
したがって、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電することができ、良好な画像品質と搬送品質を確保することができるとともに、省エネルギの効果を向上させることができる。
【０２６３】
なお、上記説明では、省エネルギ移行データが予めメモリ３１３に格納されているものとしているが、メモリ３１３内の省エネルギ移行データは、予め格納されているものに限るものではなく、例えば、図２９に示すように、カラー複写機３００の利用者が、操作部３１６から適宜省エネルギ移行データを入力して、メモリ３１３に格納するようにしてもよい。
【０２６４】
このようにすると、湿度の高い季節、曜日、時間等を予め設定することができ、また、利用状況等に応じてユーザの望むときに、除湿ヒータ３０１に通電することができ、より一層良好な画像品質と搬送品質を確保することができるとともに、利用性を向上させつつ、省エネルギの効果を向上させることができる。
【０２６５】
図３０及び図３１は、本発明の画像形成装置及び画像形成装置における加熱源制御方法の第７の実施の形態を示す図である。
【０２６６】
なお、本実施の形態は、上記第６の実施の形態と同様のカラー複写機に適用したものであり、本実施の形態の説明においては、上記第６の実施の形態のカラー複写機３００と同様の構成部分には、同一の符号を付すとともに、図示しない部分についても、必要に応じて、第２の実施の形態の説明で用いた符号をそのまま用いて説明する。
【０２６７】
図３０は、本発明の画像形成装置及び画像形成装置における加熱源制御方法の第７
の実施の形態を適用したカラー複写機３００の電源供給回路３２０の要部回路ブロック図であり、カラー複写機３００の構成自体は、上記第２の実施の形態のカラー複写機１００と同様の構成であるが、本実施の形態のカラー複写機３００には、上記第６の実施の形態のカラー複写機３００と同様に、転写紙の吸湿を防止する除湿ヒータ３０１が配設されている。
【０２６８】
図３０において、電源供給回路３２０は、上記第６の実施の形態の電源回路３１０と同様に、交流電源１５１に接続されていて、交流電源１５１の電源ラインのホットライン１５２ａには、フューズ１５３が接続されており、電源ラインのホットライン１５２ａは、電源スイッチ１５４の切換スイッチ１５４ａとリレー回路１５５の接点１５５ｂ側の端子に接続されている。また、電源ラインのニュートラルライン１５２ｂは、電源スイッチ１５４の切換スイッチ１５４ｂとリレー回路１５５の接点１５５ａ側の端子に接続されている。また、リレー回路１５５の駆動コイル１５５ｃには、ＤＣ電源部３２１の出力制御部３２２から２４ＶのＤＣ電源が供給されており、出力制御部（通電制御手段）３２２は、制御部３１２からの電圧出力オン／オフ信号に基づいて、リレー回路１５５の駆動コイル１５５ｃへの２４Ｖの供給及び供給遮断を行う。
【０２６９】
電源スイッチ１５４は、上述のように、２つの切換スイッチ１５４ａと切換スイッチ１５４ｂからなり、この両切換スイッチ１５４ａ、１５４ｂは、使用者の操作によって連動して切り換えができるように構成されている。この電源スイッチ１５４をオンさせると、ＤＣ電源部３１１の回路が起動して出力制御部３２２を介してリレー回路１５５に供給している直流電圧を発生させる。
【０２７０】
リレー回路１５５に接続された交流電源１５１の電源ラインは、加熱源である除湿ヒータ３０１に接続されており、リレー回路１５５の両端に、逆起防止用のダイオード１５８が挿入されている。
【０２７１】
制御部（制御手段）３１２は、上記第６の実施の形態の電源回路３１０の制御部３１２と同様に、メモリ３１３を備えており、制御部３１２には、カレンダＩＣ３１４及び時計ＩＣ３１５が接続されている。
【０２７２】
カレンダＩＣ３１４は、月日データ等のカレンダデータを計時して制御部３１２に出力し、時計ＩＣ３１５は、時刻データを計時して制御部３１２に出力する。
【０２７３】
なお、カレンダＩＣ３１４と時計ＩＣ３１５は、上述のように、１つのパッケージで構成されたカレンダ機能付き時計ＩＣであってもよいし、ＡＳＩＣ内部に取り入れたものであってもよい。
【０２７４】
メモリ３１３には、各種データ、特に、除湿ヒータ３０１への通電を行う日付、曜日、時刻のデータが除湿ヒータ通電データとして予め格納されており、制御部３１２は、カレンダＩＣ３１４及び時計ＩＣ３１５の計時する月日データや時刻データが、メモリ３１３内に予め格納されている除湿ヒータ３０１への通電を行う日付、曜日、時刻の除湿ヒータ通電データに該当する場合、除湿ヒータ３０１への通電を行う。
【０２７５】
次に、本実施の形態の作用を説明する。カラー複写機３００は、メモリ３１３に予め格納されている除湿ヒータ３０１への通電を行う日付、曜日、時刻のデータが除湿ヒータ通電データに基づいて、除湿ヒータ３０１への通電を行う。
【０２７６】
すなわち、カラー複写機３００は、図３１に示すように、電源スイッチ（メインＳＷ）１５４がオフの状態では、図３１に状態▲１▼として示すように、リレー回路１５５に供給される電源がないため、ブレーク型のリレー回路１５５の接点１５５ａ、１５５ｂが接触し、除湿ヒータ３０１へ電力の供給を行う。
【０２７７】
電源スイッチ１５４がオンされると、ＤＣ電源部３２１の＋２４Ｖ電源が出力され、除湿ヒータ３０１を動作させる条件を決める入力情報であるカレンダＩＣ３１４及び時計ＩＣ３１５の計時する月日データや時刻データがメモリ３１３に予め格納されている除湿ヒータ通電データの日付、曜日、時刻のデータと一致すると、すなわち、除湿ヒータ３０１を動作させる条件であった場合、図３１に状態▲２▼として示すように、制御部３１２は、出力制御部３２２にリレー回路１５５への通電を停止させ、リレーの接点１５５ａ、１５５ｂを接触させて、除湿ヒータ３０１へ電力を供給する。
【０２７８】
コピー動作が一定時間以上行われない場合、制御部３１２は、省エネルギモードへと遷移させ、省エネルギモードでは、＋２４Ｖの電源電圧の出力が遮断されるため、図３１に状態▲３▼として示すように、リレー回路１５５の接点１５５ａ、１５５ｂが接触し、除湿ヒータ３０１へ電力の供給を行う。
【０２７９】
そして、除湿ヒータ３０１を動作させる条件を決める入力情報であるカレンダＩＣ３１４及び時計ＩＣ３１５の計時する月日データや時刻データがメモリ３１３に予め格納されている除湿ヒータ非通電データの日付、曜日、時刻のデータと一致すると、すなわち、除湿ヒータ３０１を非動作条件であった場合であっても、そのときの状態が省エネルギモードであると、図３１に状態▲４▼として示すように、＋２４Ｖの電源電圧の出力が遮断されたままのため、リレー回路１５５の接点１５５ａ、１５５ｂが接触して、除湿ヒータ３０１へ電力の供給が行われたままである。
【０２８０】
その後、省エネルギモードが解除されると、制御部３１２は、除湿ヒータ３０１を動作させる条件を決める入力情報であるカレンダＩＣ３１４及び時計ＩＣ３１５の計時する月日データや時刻データとがメモリ３１３に予め格納されている除湿ヒータ通電データや除湿ヒータ非通電データの日付、曜日、時刻のデータの比較結果に基づいて、除湿ヒータ３０１への通電を制御するが、除湿ヒータ非動作条件であると、図３１に状態▲５▼として示すように、出力制御部２２３にリレー回路１５５への通電を開始させ、リレーの接点が非接触状態となり、除湿ヒータ３０１への電力の供給を停止する。
【０２８１】
そして、再び、除湿ヒータ３０１を動作させる条件を決める入力情報であるカレンダＩＣ３１４及び時計ＩＣ３１５の計時する月日データや時刻データがメモリ３１３に予め格納されている除湿ヒータ通電データの日付、曜日、時刻のデータに一致する除湿ヒータ動作条件になると、図３１に状態▲５▼の右側の状態▲２▼として示すように、制御部３１２は、リレー回路１５５への通電を出力制御部２２３に停止させて、リレー回路１５５の接点１５５ａ、１５５ｂを接触させ、除湿ヒータ３０１へ電力の供給を行う。
【０２８２】
その後、メインＳＷである電源スイッチ１５４が切られると、リレー回路１５５に供給される電源がなくなるため、図３１に状態▲１▼として示すように、リレー回路１５５の接点１５５ａ、１５５ｂが接触し、除湿ヒータ３０１へ電力の供給が行われる。
【０２８３】
このように、本実施の形態のカラー複写機３００は、給紙部１１４から搬送される用紙に画像データに基づいて画像を形成して出力する画像形成部である電子写真プロセス部１１２及び定着部１１３の所定部分を、通電時にオフし、非通電時にオンするブレーク接点型のリレー回路１５５により電源の供給／遮断の行われる加熱源である除湿ヒータ３０１で保温するとともに、制御部３１２が、エネルギを節約する省エネルギを実現する第２のモードのときに、リレー回路１５５の動作を制御して除湿ヒータ３０１への電源の供給／遮断を制御する通電制御手段である出力制御部３２２を介してリレー回路１５５をオンさせて除湿ヒータ３０１に電源の供給を行い、印字可能及び印字可能な状態への遷移中の第１のモードのときに、出力制御部３２２をオン／オフ動作させて、リレー回路１５５への通電と非通電を行い、リレー回路１５５をオン／オフさせて除湿ヒータ３０１への電源の供給／遮断を制御するとともに、時計ＩＣ３１５の提供する現在の時刻情報及びカレンダＩＣ３１４の提供する現在の月日等のカレンダ情報とメモリ３１３に予め設定された動作モードの移行月日等のカレンダデータ及び時刻データを比較し、当該比較結果に基づいて、出力制御部３２２をオン／オフ動作させて、リレー回路１５５への通電と非通電を行い、リレー回路１５５をオン／オフさせて除湿ヒータ３０１への電源の供給／遮断を制御している。
【０２８４】
したがって、転写紙の水分量に影響する季節の移り変わりによる気温、湿度の変化、空調設備の稼働時間と非稼働時間による気温、湿度の変化等の湿度の高い季節、曜日、時間等を予め設定して、除湿ヒータ３０１に通電することができるとともに、例えば、省エネルギモード以外での除湿ヒータ３０１への通電を、機械動作中には行わない等、除湿ヒータ３０１への電力供給タイミングを制御して、除湿ヒータ３０１の動作時に最大消費電力を越えることを防止することができ、良好な画像品質と搬送品質を確保することができるとともに、利用性を向上させつつ、省エネルギの効果を向上させることができる。
【０２８５】
なお、上記説明では、省エネルギ移行データが予めメモリ３１３に格納されているものとしているが、メモリ３１３内の省エネルギ移行データは、予め格納されているものに限るものではなく、例えば、図３２に示すように、カラー複写機３００の利用者が、操作部３２３から適宜省エネルギ移行データを入力して、メモリ３１３に格納するようにしてもよい。
【０２８６】
このようにすると、湿度の高い季節、曜日、時間等を予め設定することができ、また、利用状況等に応じてユーザの望むときに、除湿ヒータ３０１に通電することができ、より一層良好な画像品質と搬送品質を確保することができるとともに、利用性を向上させつつ、省エネルギの効果を向上させることができる。
【０２８７】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０２８８】
例えば、上記各実施の形態においては、画像形成装置として、カラー複写機１００、２００、３００に適用した場合について説明したが、画像形成装置としては、カラー複写機１００、２００、３００に限るものではなく、モノクロの複写機、ファクシミリ装置等にも、同様に適用することができる。
【０２８９】
【発明の効果】
請求項１から請求項６記載の発明の画像形成装置及び画像形成装置における加熱源制御方法は、できるだけ長い時間、除湿または結露防止用ヒータへの電力供給を行うことができるため、良好な画質品質と搬送品質を保つことができる。
【０２９０】
また、必要な回路部分にのみ電力供給をすることにより、省エネルギモードにの電力消費を少なくすることができる。
【０２９１】
また、ヒータの電力供給を開始するタイミングをタイマ機能により操作することにより、省エネルギモードを有する画像形成装置においても、省エネルギを実現でき、より良い除湿機能を実現することができる。
【０２９２】
請求項７記載の発明の画像形成装置によれば、給紙部から搬送される用紙に画像データに基づいて画像を形成して出力する画像形成部の所定部分を、少なくとも印字可能な第１のモードのときにオフして通電を遮断し、エネルギを節約する省エネルギを実現する第２のモードのときにオンして通電を行うリレー回路により電源の供給／遮断の行われる複数の加熱源で保温するとともに、当該複数の加熱源の接続状態を個別に接続検出手段で検出し、当該検出結果に基づいて、当該リレー回路を通して各加熱源に供給される電源の供給／遮断を行う通電制御手段の動作を制御手段で制御して、リレー回路を通して各加熱源に供給される電源の供給／遮断を行うので、複数の加熱源である除湿または結露防止用ヒータへの電力供給を行って、機内温度の温め過ぎを抑えることができ、省エネモード時の電力消費量を削減することができるとともに、より良い除湿機能を実現して画像品質と用紙搬送品質を向上させることができる。
【０２９３】
請求項８記載の発明の画像形成装置によれば、制御手段が、接続検出手段の検出結果に基づいて、加熱源毎に通電制御手段を選択的に動作させるので、複数の加熱源である除湿または結露防止用ヒータへの電力供給を選択的に行って、機内温度の温め過ぎをより適切に抑えることができ、省エネモード時の電力消費量を削減することができるとともに、より一層良い除湿機能を実現して、画像品質と用紙搬送品質をより一層向上させることができる。
【０２９４】
請求項９記載の発明の画像形成装置によれば、制御手段が、通電制御手段の加熱源毎の動作のタイミングを適宜変更するので、複数の加熱源である除湿または結露防止用ヒータへの電力供給を効果的に行って、機内温度の温め過ぎをより一層適切に抑えることができ、省エネモード時の電力消費量をより一層削減することができるとともに、より一層良い除湿機能を実現して、画像品質と用紙搬送品質をより一層向上させることができる。
【０２９５】
請求項１０記載の発明の画像形成装置によれば、給紙部から搬送される用紙に画像データに基づいて画像を形成し、画像形成した用紙を定着部で所定の定着温度で加熱して定着させた後、出力する画像形成部の所定部分を、通電時にオフし、非通電時にオンするブレーク接点型のリレー回路により電源の供給／遮断の行われる複数の加熱源で保温するとともに、エネルギを節約する省エネルギを実現する第２のモードのときに、リレー回路の動作を制御して複数の加熱源への電源の供給／遮断を制御する通電制御手段を介してリレー回路をオンさせて加熱源に電源の供給を行い、印字可能及び印字可能な状態への遷移中の第１のモードのときに、定着部の温度を検出する定着温度検出手段の検出結果に基づいて、制御手段が、通電制御手段を介してリレー回路のオン／オフを制御して、加熱源への電源の供給／遮断を制御するので、できるだけ長い時間、加熱源である除湿または結露防止用ヒータへの電力供給を行って、画像品質と用紙搬送品質を向上させることができるとともに、除湿または結露防止用ヒータへの電力供給タイミングを制御して、除湿または結露防止用ヒータの消費電力分を定着部のヒータの出力に利用できるようにして、定着部のヒータへの電力供給を大きくして、ファーストコピー時間を短縮させることができ、利用性を向上させることができる。
【０２９６】
請求項１１記載の発明の画像形成装置によれば、定着温度検出手段を、アナログの温度検出信号を制御手段に出力するものとし、制御手段が、当該アナログの温度検出信号をデジタルの温度検出信号に変換するＡ／Ｄ変換手段と、当該デジタルの温度検出信号に基づいて、通電制御手段を介してリレー回路のオン／オフを制御する演算手段と、を備えたものとしているので、画像形成装置の既存の定着温度検出センサを利用して、加熱源である除湿または結露防止用ヒータへの電力供給を制御することができ、画像品質と陽子搬送品質を向上させることができるとともに、利用性を向上させることができる。
【０２９７】
請求項１２記載の発明の画像形成装置によれば、制御手段を、定着温度検出手段の温度検出信号を所定の比較電圧と比較して通電制御手段の動作を制御する比較手段を備えたものとするとともに、当該比較手段の動作電圧、当該比較電圧及び定着温度検出手段の動作電圧として、第２のモード時にも通電される電源電圧を利用するので、ＣＰＵ等の電子部品への電力供給も停止することができ、省エネルギの効果をより一層向上させることができる。
【０２９８】
請求項１３記載の発明の画像形成装置によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、各種情報を検出する情報検出手段の検出情報に基づいて、リレー回路への通電と非通電を行って、当該リレー回路をオン／オフさせて加熱源への電源の供給／遮断を行っているので、ハードウェアで、できるだけ長い時間、加熱源への電力供給を行えるように加熱源への電力供給タイミングを制御することができ、良好な画像品質と搬送品質を確保することができるとともに、ＣＰＵ等の電子部品への電力供給も停止して、省エネルギの効果をより一層向上させることができる。
【０２９９】
請求項１４記載の発明の画像形成装置によれば、情報検出手段の検出する情報に基づいて通電制御手段の動作を制御する制御手段が、第１のモードのときに、情報検出手段の検出情報に基づいて、通電制御手段のオン／オフ動作を制御してリレー回路への通電と非通電を行い、当該リレー回路をオン／オフさせて、加熱源への電源の供給／遮断を制御するので、できるだけ長い時間、加熱源への電力供給を行えるように加熱源への電力供給タイミングを制御することができ、良好な画像品質と搬送品質を確保することができるとともに、省エネルギの効果を向上させることができる。
【０３００】
請求項１５記載の発明の画像形成装置によれば、加熱源の動作モードを設定入力する入力手段で設定入力された動作モードを記憶手段に格納し、通電制御手段の動作を制御する制御手段が、第１のモードのときに、情報検出手段の検出する情報及び当該記憶手段の格納する動作モードに基づいて、通電制御手段のオン／オフ動作を制御してリレー回路への通電と非通電を行い、当該リレー回路をオン／オフさせて、加熱源への電源の供給／遮断を制御するので、利用状況に応じて、できるだけ長い時間、加熱源への電力供給を行えるように加熱源への電力供給タイミングを制御することができ、良好な画像品質と搬送品質を確保することができるとともに、利用性を向上させつつ、省エネルギの効果を向上させることができる。
【０３０１】
請求項１６記載の発明の画像形成装置によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、第２モードへの移行を制御するので、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電することができ、良好な画像品質と搬送品質を確保することができるとともに、省エネルギの効果を向上させることができる。
【０３０２】
請求項１７記載の発明の画像形成装置によれば、動作モードの移行カレンダデータと時刻データを設定入力する入力手段で入力された月日等のカレンダデータまたは／及び時刻データで記憶手段のカレンダデータ、時刻データを書き換えまたは追加して登録するので、湿度の高い季節、曜日、時間等を予め設定することができ、また、利用状況等に応じて設定入力して加熱源に通電することができ、より一層良好な画像品質と搬送品質を確保することができるとともに、利用性を向上させつつ、省エネルギの効果を向上させることができる。
【０３０３】
請求項１８記載の発明の画像形成装置によれば、給紙部から搬送される用紙に画像データに基づいて画像を形成して出力する画像形成部の所定部分を、通電時にオフし、非通電時にオンするブレーク接点型のリレー回路により電源の供給／遮断の行われる加熱源で保温するとともに、制御手段が、エネルギを節約する省エネルギを実現する第２のモードのときに、リレー回路の動作を制御して加熱源への電源の供給／遮断を制御する通電制御手段を介してリレー回路をオンさせて加熱源に電源の供給を行い、印字可能及び印字可能な状態への遷移中の第１のモードのときに、通電制御手段をオン／オフ動作させて、リレー回路への通電と非通電を行い、当該リレー回路をオン／オフさせて加熱源への電源の供給／遮断を制御するとともに、タイマ手段の提供する現在の時刻情報及びカレンダ手段の提供する現在の月日等のカレンダ情報と記憶手段に予め設定された動作モードの移行月日等のカレンダデータ及び時刻データを比較し、当該比較結果に基づいて、通電制御手段をオン／オフ動作させて、リレー回路への通電と非通電を行い、当該リレー回路をオン／オフさせて加熱源への電源の供給／遮断を制御するので、転写紙の水分量に影響する季節の移り変わりによる気温、湿度の変化、空調設備の稼働時間と非稼働時間による気温、湿度の変化等の湿度の高い季節、曜日、時間等を予め設定して、加熱源に通電することができるとともに、例えば、省エネルギモード以外での加熱源への通電を、機械動作中には行わない等、加熱源への電力供給タイミングを制御して、加熱源動作時に最大消費電力を越えることを防止することができ、良好な画像品質と搬送品質を確保することができるとともに、利用性を向上させつつ、省エネルギの効果を向上させることができる。
【０３０４】
請求項１９記載の発明の画像形成装置によれば、動作モードの移行月日カレンダデータ、時刻データを設定入力する入力手段で入力された月日データまたは／及び時刻データで記憶手段の月日データ、時刻データを書き換えまたは追加して登録するので、湿度の高い季節、曜日、時間等を予め設定することができ、また、利用状況等に応じて設定入力して加熱源に通電することができ、より一層良好な画像品質と搬送品質を確保することができるとともに、より一層利用性を向上させつつ、省エネルギの効果を向上させることができる。
【図面の簡単な説明】
【図１】本発明の画像形成装置及び画像形成装置における加熱源制御方法の第１の実施の形態を適用したカラー複写機におけるヒータなどへの電源供給回路の構成例を示すブロック回路図である。
【図２】図１に示す電源供給回路の各部分における状態の変化を示すタイミングチャートである。
【図３】図１のカラー複写機におけるヒータなどへの電源供給回路の他の構成例を示すブロック回路図である。
【図４】Ａ／Ｄとソフト制御による実施形態での構成例を示すブロック図である。
【図５】図１のカラー複写機の外観の概略を示す図である。
【図６】図２のカラー複写機の構成を例示する図である。
【図７】従来の複写機の電源供給回路を示すブロック回路図である。
【図８】図７の電源供給回路の各部分における状態の変化を示すタイミングチャートである。
【図９】本発明の画像形成装置及び画像形成装置における加熱源制御方法の第２の実施の形態を適用したカラー複写機の概略外観図。
【図１０】図９のカラー複写機の正面概略構成図。
【図１１】図９のカラー複写機の電源供給回路の要部回路ブロック図。
【図１２】図１１の電源供給回路の各信号のタイミングチャート。
【図１３】図１１の電源供給回路による除湿ヒータ制御処理を示すフローチャート。
【図１４】図１１の電源供給回路の３つの除湿ヒータを２つずつ駆動する場合の各信号のタイミングチャート。
【図１５】本発明の画像形成装置及び画像形成装置における加熱源制御方法の第３の実施の形態を適用したカラー複写機の電源供給回路の要部回路ブロック図。
【図１６】図１５の電源供給回路の各信号のタイミングチャート。
【図１７】図１５の電源供給回路による除湿ヒータ制御処理を示すフローチャート。
【図１８】本発明の画像形成装置及び画像形成装置における加熱源制御方法の第４の実施の形態を適用したカラー複写機の電源供給回路の要部回路ブロック図。
【図１９】図１８の電源供給回路の各信号のタイミングチャート。
【図２０】本発明の画像形成装置及び画像形成装置における加熱源制御方法の第５の実施の形態を適用したカラー複写機の正面概略構成図。
【図２１】図２０のカラー複写機の電源供給回路の要部回路ブロック図。
【図２２】図２１の電源供給回路の主要部回路ブロック図。
【図２３】図２１及び図２２の電源供給回路の各信号のタイミングチャート。
【図２４】図２３のタイミング制御をソフト制御で行う場合の電源供給回路の主要部回路ブロック図。
【図２５】図２４の電源供給回路による除湿ヒータ制御処理を示すフローチャート。
【図２６】本発明の画像形成装置及び画像形成装置における加熱源制御方法の第６の実施の形態を適用したカラー複写機の正面概略構成図。
【図２７】図２６のカラー複写機の電源供給回路の要部回路ブロック図。
【図２８】図２７の電源供給回路による除湿ヒータ制御処理を示すフローチャート。
【図２９】図２７の電源供給回路の制御部のメモリに操作部からデータを設定する場合の電源供給回路の要部回路ブロック図。
【図３０】本発明の画像形成装置及び画像形成装置における加熱源制御方法の第７の実施の形態を適用したカラー複写機の電源供給回路の要部回路ブロック図。
【図３１】図３０の電源供給回路の各信号のタイミングチャート。
【図３２】図３０の電源供給回路の制御部のメモリに操作部からデータを設定する場合の電源供給回路の要部回路ブロック図。
【図３３】従来の画像形成装置の要部回路ブロック図。
【図３４】他の従来の画像形成装置の要部回路ブロック図。
【符号の説明】
Ｉ　複写機本体
ＩＩ　自動原稿送り装置〔ＡＤＦ〕
ＩＩＩ　ステープルおよびシフトトレイ付きのフィニッシャ
ＩＶ　両面印刷ユニット
Ｖ　拡張給紙トレイ
ＶＩ　１ビン排紙トレイ
ＶＩＩ　手差しユニット
１　感光体
２　帯電器
３　カラー現像器（群）
３Ｍ　マゼンタ現像器
３Ｃ　シアン現像器
３Ｙ　イエロー現像器
３Ｋ　ブラック現像器
４　感光体クリーニング装置
５　除電ランプ
６　中間転写体
７　１次転写器
８　２次転写器
９　中間転写体クリーニング装置
１０　定着器
１１　給紙部
１２　書込ユニット
１３　スキャナ（スキャナ部）
１４　ランプ
１５　ミラー
１６　レンズ
１７　ＣＣＤ
Ｄ１　ダイオード１
Ｒ１　抵抗１
１００　カラー複写機
１０２　複写機本体
１０３　自動原稿送り部
１０４　ステープル・シフトトレイ付きフィニッシャ
１０５　両面印刷ユニット
１０６　拡張給紙トレイ
１０７　１ビン排紙トレイ
１０８　手差しユニット
１１１　スキャナ部
１１２　電子写真プロセス部
１１３　定着部
１１４　給紙部
１１５　感光体
１１６　書込ユニット
１２１　ランプ
１２２　ミラー
１２３　レンズ
１２４　ＣＣＤ
１３１　帯電器
１３２　カラー現像器群
１３２Ｍ　マゼンタ現像器
１３２Ｃ　シアン現像器
１３２Ｙ　イエロー現像器
１３２Ｋ　ブラック現像器
１３３　クリーニング部
１３４　除電ランプ
１３５、１３６　ローラ
１３７　中間転写体
１３８　一次転写器
１３９、１４０　ローラ
１４１　二次転写器
１４２　中間転写クリーニング部
１５０　電源供給回路
１５１　交流電源
１５２ａ　ホットライン
１５２ｂ　ニュートラルライン
１５３　フューズ
１５４　電源スイッチ
１５４ａ　切換スイッチ
１５４ｂ　切換スイッチ
１５５　リレー回路
１５５ａ　接点
１５５ｂ　接点
１５５ｃ　駆動コイル
１５７　制御部
１５８　ダイオード
１６１〜１６３　除湿ヒータ
１６４〜１６６　ヒータ接続検知部
１６７〜１６９　ヒータ出力制御部
１８０　電源供給回路
１８１　ＤＣ電源部
１８２　出力制御部
１８３　制御部
１８４　除湿ヒータ
１８５　Ａ／Ｄ変換器
１８６　ＣＰＵ
１８７　温度センサ
１９１　定着サーミスタ
１９２　比較器
１９３　出力制御部
２００　カラー複写機
２０１　除湿ヒータ
２１０　電源供給回路
２１１　制御部
２１２　スイッチ
２１３　情報入力部
２２１　ＣＰＵ
２２２　メモリ
２２３　出力制御部
３００　カラー複写機
３０１　除湿ヒータ
３１０　電源供給回路
３１１　ＤＣ電源部
３１２　制御部
３１３　メモリ
３１４　カレンダＩＣ
３１５　時計ＩＣ
３１６　操作部
３２０　電源供給回路
３２１　ＤＣ電源部
３２２　出力制御部
３２３　操作部
【図１】
2004102214.tif 000003
【図２】
2004102214.tif 000004
【図３】
2004102214.tif 000005
【図４】
2004102214.tif 000006
【図５】
2004102214.tif 000007
【図６】
2004102214.tif 000008
【図７】
2004102214.tif 000009
【図８】
2004102214.tif 000010
【図９】
2004102214.tif 000011
【図１０】
2004102214.tif 000012
【図１１】
2004102214.tif 000013
【図１２】
2004102214.tif 000014
【図１３】
2004102214.tif 000015
【図１４】
2004102214.tif 000016
【図１５】
2004102214.tif 000017
【図１６】
2004102214.tif 000018
【図１７】
2004102214.tif 000019
【図１８】
2004102214.tif 000020
【図１９】
2004102214.tif 000021
【図２０】
2004102214.tif 000022
【図２１】
2004102214.tif 000023
【図２２】
2004102214.tif 000024
【図２３】
2004102214.tif 000025
【図２４】
2004102214.tif 000026
【図２５】
2004102214.tif 000027
【図２６】
2004102214.tif 000028
【図２７】
2004102214.tif 000029
【図２８】
2004102214.tif 000030
【図２９】
2004102214.tif 000031
【図３０】
2004102214.tif 000032
【図３１】
2004102214.tif 000033
【図３２】
2004102214.tif 000034
【図３３】
2004102214.tif 000035
【図３４】
2004102214.tif 000036